(57)【要約】  タッチ機能付表示パネル上に取付可能な操作つまみは、操作部と、伝達部とを有する。伝達部は、タッチ機能付表示パネルの表面から離間した位置で、操作部に対する操作をタッチ機能付表示パネルに伝える。
2015174092.tif 000002
【特許請求の範囲】
【請求項１】
タッチ機能付表示パネル上に取付可能な操作つまみであって、
操作部と、
前記タッチ機能付表示パネルの表面から離間した位置で、前記操作部に対する操作を前記タッチ機能付表示パネルに伝える伝達部と、を備えた、
操作つまみ。
【請求項２】
前記操作部と前記伝達部とは、導電性材料で形成され、かつ互いに電気的に接続されている、
請求項１に記載の操作つまみ。
【請求項３】
前記操作部と前記伝達部とを支持し、前記タッチ機能付表示パネルに取り付けられるハウジングをさらに備え、
前記伝達部は、前記ハウジングを介して、前記タッチ機能付表示パネルの表面に対向している、
請求項１、２のいずれか一項に記載の操作つまみ。
【請求項４】
前記操作部は、前記タッチ機能付表示パネルの表面に垂直な軸線周りを回転可能なダイヤル式操作部であり、
前記伝達部は、前記操作部の回転に連動して、前記軸線周りを回転可能である、
請求項１から３のいずれか一項に記載の操作つまみ。
【請求項５】
前記操作部に並んで配置され、かつ前記タッチ機能付表示パネルの表面に垂直な方向に押下げ可能な釦と、
前記釦の押下げに連動して、前記タッチ機能付表示パネルの表面に近づくと、前記釦に対する押下げ操作を前記タッチ機能付表示パネルに伝達する追加伝達部と、をさらに備え、
前記釦が押し下げられた場合の前記追加伝達部と前記伝達部との距離は、前記釦が押し下げられる前の前記追加伝達部と前記伝達部との距離よりも短い、
請求項４に記載の操作つまみ。
【請求項６】
前記操作部は、前記タッチ機能付表示パネルの表面に垂直な方向に押下げ可能な釦式操作部であり、
前記伝達部は、前記操作部の押下げに連動して、前記タッチ機能付表示パネルの表面に近づく、
請求項１から３のいずれか一項に記載の操作つまみ。
【請求項７】
前記操作部には貫通孔が設けられ、
前記貫通孔に設けられ、前記タッチ機能付表示パネルからの光を透過させる導光部をさらに備えた、
請求項１に記載の操作つまみ。
【請求項８】
前記操作部は、前記タッチ機能付表示パネルの表面に垂直な方向に押下げ可能な釦式操作部であり、
前記操作部は、前記タッチ機能付表示パネルと反対側に操作面を有し、
前記導光部は、前記タッチ機能付表示パネルと反対側に第１端部を有し、
前記伝達部は、前記操作部の押下げに連動して、前記タッチ機能付表示パネルの表面に近づく、
請求項７に記載の操作つまみ。
【請求項９】
前記導光部の前記第１端部が前記操作部の前記操作面よりも、前記タッチ機能付表示パネルに近い位置に設けられている、
請求項８に記載の操作つまみ。
【請求項１０】
前記導光部の前記第１端部が前記操作部の前記操作面よりも、前記タッチ機能付表示パネルから離れた位置に設けられている、
請求項８に記載の操作つまみ。
【請求項１１】
前記導光部の前記第１端部は、０ｍｍより大きく８．６ｍｍ以下の幅を有する、
請求項８に記載の操作つまみ。
【請求項１２】
前記操作部と前記伝達部とは、導電性材料で形成され、かつ互いに電気的に接続され、
前記導光部は、非導電性材料で形成される、
請求項７から１１のいずれか一項に記載の操作つまみ。
【請求項１３】
前記操作部と前記伝達部と前記導光部とを支持し、前記タッチ機能付表示パネルに取り付けられるハウジングをさらに備え、
前記伝達部は、前記ハウジングを介して、前記タッチ機能付表示パネルの表面に対向している、
請求項７から１２のいずれか一項に記載の操作つまみ。
【請求項１４】
前記操作部は、
導電性材料で形成された第１操作部と、
前記第１操作部に並んで配置され、導電性材料で形成された第２操作部と、を含み、
前記伝達部は、
前記タッチ機能付表示パネルの表面から離間した位置で、前記第１操作部に対する操作を前記タッチ機能付表示パネルに伝える第１伝達部と、
前記タッチ機能付表示パネルの表面から離間した位置で、前記第２操作部に対する操作を前記タッチ機能付表示パネルに伝える第２伝達部と、を含み、
前記第１操作部の操作面と前記第２操作部の操作面との間に配置され、非導電性材料で形成された隔離部をさらに備えた、
請求項１記載の操作つまみ。
【請求項１５】
前記隔離部は、前記第１操作部に連結されている、
請求項１４に記載の操作つまみ。
【請求項１６】
前記隔離部は、前記第２操作部に連結されている、
請求項１４に記載の操作つまみ。
【請求項１７】
前記隔離部は、
前記第１操作部に連結された第１隔離部と
前記第２操作部に連結された第２隔離部と、を含む、
請求項１４に記載の操作つまみ。
【請求項１８】
前記第１操作部と前記第１伝達部と前記第２操作部と前記第２伝達部と前記隔離部とを支持し、前記タッチ機能付表示パネルに取り付けられるハウジングをさらに備え、
前記第１伝達部と前記第２伝達部は、前記ハウジングを介して、前記タッチ機能付表示パネルの表面に対向している、
請求項１４から１７のいずれか一項に記載の操作つまみ。
【請求項１９】
前記第１操作部は、前記タッチ機能付表示パネルの表面に垂直な軸線周りを回転可能なダイヤル式操作部であり、
前記第１伝達部は、前記第１操作部の回転に連動して、軸線周りを回転可能であり、
前記第２操作部は、前記タッチ機能付表示パネルの表面に垂直な方向に押下げ可能な釦式操作部であり、
前記第２伝達部は、前記第２操作部の押下げに連動して、前記タッチ機能付表示パネルの表面に近づくことが可能である、
請求項１４から１８のいずれか一項に記載の操作つまみ。
【請求項２０】
前記操作部と前記伝達部とを支持するハウジングと、
前記ハウジングの外側面から突設され、前記タッチ機能付表示パネルに係止される被係止部と、をさらに備えた、
請求項１に記載の操作つまみ。
【請求項２１】
前記被係止部は、前記操作部の外側縁部よりも内側に設けられている、
請求項２０に記載の操作つまみ。
【請求項２２】
前記伝達部は、前記ハウジングを介して、前記タッチ機能付表示パネルの表面に対向している、
請求項２０、２１のいずれか一項に記載の操作つまみ。
【請求項２３】
前記操作部は、前記タッチ機能付表示パネルの表面に垂直な軸線周りを回転可能なダイヤル式操作部であり、
前記伝達部は、前記操作部の回転に連動して、前記軸線周りを回転可能である、
請求項２０から２２のいずれか一項に記載の操作つまみ。
【請求項２４】
前記操作部は、前記タッチ機能付表示パネルの表面に垂直な方向に押下げ可能な釦式操作部であり、
前記伝達部は、前記操作部の押下げに連動して、前記タッチ機能付表示パネルの表面に近づく、
請求項２０から２２のいずれか一項に記載の操作つまみ。
【請求項２５】
タッチ機能付表示パネルと、
前記タッチ機能付表示パネル上に取り付けられた請求項１記載の操作つまみと、を備えた、
表示装置。
【請求項２６】
前記操作つまみの前記操作部には貫通孔が設けられ、
前記操作つまみは、前記貫通孔に設けられ、前記タッチ機能付表示パネルからの光を透過させる導光部をさらに有する、
請求項２５に記載の表示装置。
【請求項２７】
前記操作つまみの前記操作部は、
導電性材料で形成された第１操作部と、
前記第１操作部に並んで配置され、導電性材料で形成された第２操作部と、を含み、
前記操作つまみの前記伝達部は、
前記タッチ機能付表示パネルの表面から離間した位置で、前記第１操作部に対する操作を前記タッチ機能付表示パネルに伝える第１伝達部と、
前記タッチ機能付表示パネルの表面から離間した位置で、前記第２操作部に対する操作を前記タッチ機能付表示パネルに伝える第２伝達部と、を含み、
前記操作つまみは、前記第１操作部の操作面と前記第２操作部の操作面との間に配置され、非導電性材料で形成された隔離部をさらに有する、
請求項２５に記載の表示装置。
【請求項２８】
前記操作つまみは、
前記操作部と前記伝達部とを支持するハウジングと、
前記ハウジングの外側面から突設され、前記タッチ機能付表示パネルに係止される被係止部と、をさらに有し、
前記タッチ機能付表示パネルは、
前記被係止部が挿入される開口と、
前記開口から挿入された前記被係止部を配置する収納空間と、
前記被係止部が係止される係止部と、を含む取付部を有し、
前記係止部は、前記被係止部が前記開口に挿入された位置からずれた位置に設けられている、
請求項２５に記載の表示装置。
【請求項２９】
前記取付部は、前記係止部が前記被係止部を係止した場合に、前記係止部から前記被係止部が離脱することを防ぐロック部をさらに含む、
請求項２８に記載の表示装置。
【請求項３０】
前記タッチ機能付表示パネルは、前記開口を囲むように立設された防水壁をさらに有する、
請求項２８、２９のいずれか一項に記載の表示装置。
【発明の詳細な説明】
【技術分野】
【０００１】
本発明は、操作つまみに関し、特に操作者に操作される操作つまみおよびそれを利用した表示装置に関する。
【背景技術】
【０００２】
ユーザーは、カーオーディオ装置、カーナビゲーション装置等の車載装置を操作する際、タッチパネルに表示されたタッチボタンを操作スイッチとして使用することがある。しかしながら、音量調節等の特定の調節操作に関しては、タッチボタンを使用すると操作性が低下する。そのため従来、タッチパネルに配置される回転式操作子が提案されている（例えば、特許文献１）。
【先行技術文献】
【特許文献】
【０００３】
【特許文献１】特開２０１２−３５７８２号公報
【発明の概要】
【０００４】
本発明は、操作性と耐久性とが向上した操作つまみおよびそれを利用した表示装置を提供する。
【０００５】
本発明の一態様の操作つまみは、タッチ機能付表示パネル上に取付可能な操作つまみであって、操作部と、タッチ機能付表示パネルの表面から離間した位置で、操作部に対する操作者の操作をタッチ機能付表示パネルに伝える伝達部とを有する。
【０００６】
本発明の別の態様は、表示装置である。この装置は、タッチ機能付表示パネルと、タッチ機能付表示パネル上に取り付けられた上記操作つまみとを有する。
【０００７】
本発明によれば、操作つまみの操作性と耐久性とを改善できる。
【図面の簡単な説明】
【０００８】
【図１】本発明の実施の形態１に係る表示装置が搭載される車室内を後方から見た外観図
【図２】図１に示す表示装置の斜視図
【図３】図２に示すタッチ機能付表示パネルに表示されたナビゲーション画面を示す図
【図４】図２に示す操作つまみの正面図
【図５】図２に示す操作つまみの断面図
【図６】図２に示す表示装置の構成を示すブロック図
【図７】図２に示すタッチ機能付表示パネルに表示された画面の一例を示す図
【図８】図２に示すタッチ機能付表示パネルに表示された画面の別の例を示す図
【図９】本発明の実施の形態１に係る他の操作つまみの断面図
【図１０】本発明の実施の形態１に係るさらに他の操作つまみの断面図
【図１１】本発明の実施の形態１に係るさらに他の操作つまみの断面図
【図１２】本発明の実施の形態１に係るさらに他の操作つまみの断面図
【図１３】本発明の実施の形態２に係る操作つまみの正面図
【図１４】図１３に示す操作つまみの断面図
【図１５】図１３に示す操作つまみを図２のタッチ機能付表示パネルに搭載した場合に表示された画面を示す図
【図１６】図１３に示す操作つまみを図２のタッチ機能付表示パネルに搭載した場合に表示された別の画面を示す図
【図１７】本発明の実施の形態２に係る他の操作つまみの断面図
【図１８】本発明の実施の形態２に係るさらに他の操作つまみの断面図
【図１９】本発明の実施の形態２に係るさらに他の操作つまみの断面図
【図２０】本発明の実施の形態３に係る操作つまみの正面図
【図２１】図２０に示す操作つまみの断面図
【図２２】図２０に示す操作つまみを図２のタッチ機能付表示パネルに搭載した場合に表示された画面を示す図
【図２３】図２０に示す操作つまみを図２のタッチ機能付表示パネルに搭載した場合に表示された別の画面を示す図
【図２４】本発明の実施の形態３に係る他の操作つまみの断面図
【図２５】本発明の実施の形態３に係るさらに他の操作つまみの断面図
【図２６】本発明の実施の形態３に係るさらに他の操作つまみの正面図
【図２７】図２６に示す操作つまみの断面図
【図２８】本発明の実施の形態４に係る操作つまみの正面図
【図２９】図２８に示す操作つまみの断面図
【図３０】図２９に示す基部の正面図
【図３１】図２９に示すタッチ機能付表示パネルの正面図
【図３２】図３１に示す取付部の構成を示す斜視図
【図３３Ａ】図３１に示すタッチ機能付表示パネルへ操作つまみを取付ける手順を示す図
【図３３Ｂ】図３３Ａに続く手順を示す図
【図３３Ｃ】図３３Ｂに続く手順を示す図
【図３４】図２８に示す操作つまみを図２のタッチ機能付表示パネルに搭載した場合に表示された画面を示す図
【図３５】図２８に示す操作つまみを図２のタッチ機能付表示パネルに搭載した場合に表示された別の画面を示す図
【図３６】本発明の実施の形態４に係る他の操作つまみの断面図
【発明を実施するための形態】
【０００９】
本発明の実施の形態の説明に先立ち、従来の操作つまみを用いた表示装置における問題点を簡単に説明する。特許文献１に示された回転操作子の端子の先端はタッチパネルに当接し、操作部材の回転操作にともなってタッチパネル上で移動する。そのため、タッチパネルに当接したままで端子を移動させる操作が繰り返されると、タッチパネルが傷つくおそれがある。またこのとき、端子が摩耗して、端子がタッチパネルに良好に接触しなくなるおそれがある。
【００１０】
（実施の形態１）
本発明の実施の形態１は、タッチ機能付表示パネル上に操作つまみが取り付けられた表示装置に関する。表示装置の一例は、カーオーディオ装置、カーナビゲーション装置等の車載装置である。タッチ機能付表示パネルの操作性を向上するために、タッチ機能付表示パネル上に操作つまみを取り付けることが有効である。
【００１１】
しかしながら、特許文献１と同様に、操作つまみに対する回転操作が繰り返されると、操作つまみの一部がタッチ機能付表示パネルに接触しながら回転し続ける。この回転によって、タッチ機能付表示パネルが傷つく。それによって、タッチ機能付表示パネルの外観が損なわれるとともに、タッチ機能付表示パネルの耐久性も低下する。また、操作つまみのうちのタッチ機能付表示パネルに接触した部分が摩耗して、操作つまみは、タッチ機能付表示パネルに良好に接触しなくなる。さらに、操作つまみとタッチ機能付表示パネルとの間にゴミが挟まると、操作つまみは、タッチ機能付表示パネルに良好に接触できない。そして、操作つまみの耐久性も低下する。このような状況は、操作つまみが押下げ操作される場合でも生じる。一方、表示装置には、操作性の向上に加えて、耐久性の向上も望まれる。
【００１２】
以下、図面を参照しながら本実施の形態による表示装置１００について説明する。図１は、表示装置１００が搭載される車室内を後方から見た外観図である。車室内の前方において、右側に運転席６が配置され、左側に助手席８が配置され、運転席６の前方にはハンドル４が配置されている。なお、ハンドル４および運転席６は左側に配置されてもよい。さらに、ハンドル４の前方には、フロントガラス２が配置されている。
【００１３】
ハンドル４の側方、例えば左方のセンターコンソールには、表示装置１００が嵌め込まれている。表示装置１００はタッチ機能付表示パネル（以下、パネル）１５を有する。パネル１５は、車室に向いている。表示装置１００は、前述のように、車載装置として構成される。ここでは、カーオーディオ装置あるいはカーナビゲーション装置の機能に加えて、エアコンディショナーにおける温度調節のインターフェイスの機能を有していてもよい。表示装置１００は、図示しないケーブルを介してスピーカ５６に接続されている。スピーカ５６は、例えば、左右のドアの内部に配置されている。
【００１４】
図２は、表示装置１００の外観を示す斜視図である。表示装置１００は、筐体１０、操作つまみ２０をさらに含む。また、筐体１０は、本体枠１２を含む。パネル１５は本体枠１２に囲まれている。筐体１０は、略直方体状に形成されている。
【００１５】
本体枠１２は、筐体１０の正面側に設けられている。本体枠１２は、額縁状の形状を有し、パネル１５の周縁部を正面側から支える。パネル１５は、タッチ操作可能なディスプレイ、つまりタッチパネルを含んだ表示パネルである。例えば、パネル１５に含まれたタッチパネルが静電容量方式である。タッチパネルは、表面型であってもよく、投影型であってもよい。表面型のタッチパネルは、カバー、導電膜、ガラス基板の３層にて構成されており、導電膜はガラス基板の上に張り付き、ガラス基板の四隅には電極が設けられている。一方、投影型のタッチパネルは、絶縁体フィルムとその下の電極層とで構成されている。さらに、絶縁体フィルムの前面にカバーレンズ等が配置される。パネル１５の表面に指が近づけられると、静電容量の変化が生じ、この変化をセンサが感知することによって、指が近接した位置が検出される。
【００１６】
図３は、パネル１５に表示されたナビゲーション画面を示す。パネル１５には、道路地図が表示されるとともに、タッチボタン６２として総称される第１タッチボタン６２ａ、第２タッチボタン６２ｂ、第３タッチボタン６２ｃ、第４タッチボタン６２ｄが表示されている。タッチボタン６２は、タッチ操作により表示装置１００を操作するための釦である。タッチボタンは、ソフトキーともいえる。第１タッチボタン６２ａは、「メニュー」を表示させるための釦であり、第２タッチボタン６２ｂは、元の表示に戻らせるための釦である。第３タッチボタン６２ｃは、温度調節のインターフェイスを表示させるための釦であり、第４タッチボタン６２ｄは、音量調節のインターフェイスを表示させるための釦である。また、パネル１５の右側には、操作つまみ２０が配置されている。
【００１７】
図２に示すように、操作つまみ２０は、パネル１５上の右側、つまり図１に示す運転席６に寄った位置に取り付けられる。なお、操作つまみ２０は、パネル１５上の別の位置、例えば、下方部分に取り付けられてもよい。操作つまみ２０は、操作者、例えば、運転者あるいは同乗者からの操作を受け付け、受け付けた操作により、表示装置１００を操作する。つまり、操作者は、タッチボタンに触れることによって表示装置１００を操作するだけではなく、操作つまみ２０を回転等させることによっても表示装置１００を操作することができる。操作つまみ２０によって実行可能な操作と、タッチボタンによって実行可能な操作とは、同一であってもよく、異なっていてもよい。
【００１８】
図４は、操作つまみ２０の構成を示す正面図である。釦式操作部２４は、平面視で円形状を有し、操作つまみ２０の中央部分に配置されている。釦式操作部２４は、押し釦であり、操作者に押し下げられることによって、操作者からの押下げ操作を受け付ける。また、ダイヤル式操作部２２は、平面視で円環形状を有し、釦式操作部２４の周囲に配置されている。ダイヤル式操作部２２は、回転ダイヤルであり、時計回りおよび反時計回りに回転可能である。ダイヤル式操作部２２は、操作者に回転させられることによって、操作者からの回転操作を受け付ける。
【００１９】
図５は、操作つまみ２０の断面図であり、図４に示す５−５線における断面を示している。以下の説明において、上下方向および左右方向は図５に示す位置関係を基準とする。パネル１５の最上部には、表面１６が配置されている。表面１６は、パネル１５が表面型のタッチパネルを含む場合にはガラス基板であり、パネル１５が投影型のタッチパネルを含む場合にはカバーレンズである。操作つまみ２０は、ダイヤル式操作部２２、釦式操作部２４、回転伝達部２６、連結部２８、回転部３０、押下げ伝達部３２、ハウジング３４を含む。また、ダイヤル式操作部２２は、上部８０、外側壁部８２、内側壁部８４を含み、釦式操作部２４は、上部８８、突起部９０を含む。さらに、ハウジング３４は、基部３６、外側支持部４０、内側支持部４２を含む。ハウジング３４はダイヤル式操作部２２、釦式操作部２４と回転伝達部２６、押下げ伝達部３２を支持し、パネル１５に取り付けられる。なお、ハウジング３４は、非導電性材料、例えば、プラスチック等によって形成されている。
【００２０】
基部３６は、円形平板状に形成されている。基部３６の半径は、軸線ａから回転伝達部２６の外側までの距離（回転伝達部２６の外径）よりも大きく、環状の外側壁部８２の内径よりも小さい。基部３６の下面は、操作つまみ２０をパネル１５に取り付けるための取付面３８を構成する。取付面３８は、接着剤あるいは両面テープによってパネル１５に接着されてもよい。
【００２１】
外側支持部４０は、基部３６の外側縁部に環状に立設された円筒部と、円筒部の上部から内向きに張り出した平板リング部とを有する。外側支持部４０は、平板リング部の内側縁部において、後述するダイヤル式操作部２２の内側壁部８４を回転可能に支持している。そのため、ダイヤル式操作部２２は軸線ａ周りに回転可能である。
【００２２】
内側支持部４２は、基部３６において、外側支持部４０よりも内側にて環状に立設される。内側支持部４２は、内側面において釦式操作部２４の突起部９０を上下方向に移動可能に支持している。この構成によって、釦式操作部２４は押下げ可能である。
【００２３】
上部８０は、平板リング形状を有し、ダイヤル式操作部２２の上面側操作部分を構成する。外側壁部８２は、上部８０の外側縁部から下垂するように設けられ、内側壁部８４は、上部８０の内側縁部から下垂するように設けられている。前述のように、内側壁部８４の外側面の一部は、ハウジング３４の外側支持部４０に回転可能に支持されている。また、外側壁部８２は、ダイヤル式操作部２２の側面側操作部分を構成する。このような構成において、操作者がダイヤル式操作部２２を操作すると、ダイヤル式操作部２２は、パネル１５の表面１６に略垂直な軸線ａの周りを回転する。ここで、「略」とは誤差の程度で異なっている場合を含むという意味である。
【００２４】
図４に示すように操作つまみ２０を正面から透視した場合、回転伝達部２６は矩形状に形成されている。回転伝達部２６は、パネル１５におけるセンサに感知されるために必要な大きさに設計されている。また、回転伝達部２６は、上下方向において、パネル１５の表面１６から離間した位置に設けられている。回転伝達部２６は、ハウジング３４の基部３６を介して、パネル１５に対向している。回転伝達部２６の内側縁部には連結部２８が設けられており、連結部２８は、内側壁部８４（図５では右側の内側壁部８４）の外側面の下方部分に接続されている。回転伝達部２６と連結部２８とは一体的に形成されてよいが、別々に形成されていてもよい。ダイヤル式操作部２２と回転伝達部２６とが連結部２８により連結されることで、回転伝達部２６は、ダイヤル式操作部２２の回転に連動して、軸線ａの周りを回転する。
【００２５】
ダイヤル式操作部２２、連結部２８、回転伝達部２６は、導電性材料、例えば、金属、導電性樹脂で形成されている。なお、ダイヤル式操作部２２、回転伝達部２６は、同一の材料で形成されてもよいし、別の材料で形成されてもよい。導電性材料で形成されているので、ダイヤル式操作部２２と回転伝達部２６とは、互いに電気的に接続されている。そのため、操作者がダイヤル式操作部２２に触れると、回転伝達部２６には、指先と同様に電荷が集まる。そのため、パネル１５のセンサは、回転伝達部２６の位置を検出する。さらに、ダイヤル式操作部２２に対する回転操作に連動して、回転伝達部２６も回転するので、パネル１５のセンサは、回転操作に応じた位置を検出する。このように、回転伝達部２６は、パネル１５の表面１６から離間した位置で、ダイヤル式操作部２２に対する操作者の操作をパネル１５に伝える。すなわち、回転伝達部２６はハウジング３４の取付面３８から離間した位置で、ダイヤル式操作部２２に対する操作者の操作をパネル１５に伝える。
【００２６】
回転部３０は、リング部材であって、内側壁部８４の外側面の下方部分に接続されている。回転部３０は、非導電性材料によって形成されている。
【００２７】
上部８８は、円形平板状に形成されており、円形環状のダイヤル式操作部２２の上部８０に取り囲まれるように配置されている。突起部９０は、上部８８の下面の中央部分から下向きに突設される。突起部９０は、円柱状に形成されており、その直径は、上部８８の直径よりも小さい。前述のように、突起部９０は、ハウジング３４の内側支持部４２の内側面に上下方向に移動可能に支持されている。上部８８と突起部９０とは、一体的に形成されてよく、別々に形成されていてもよい。このような構成において、操作者が、上部８８を押し下げると、釦式操作部２４は、パネル１５の表面１６に略垂直な方向に押し下げられる。
【００２８】
押下げ伝達部３２は、突起部９０の下面の中央部分に設けられている。また、押下げ伝達部３２は、釦式操作部２４の押下げに連動して、パネル１５の表面１６に近づく。しかしながら、釦式操作部２４が押し下げられても、押下げ伝達部３２は、上下方向において、パネル１５の表面１６から離間した状態を保つ。また、押下げ伝達部３２は、回転伝達部２６と同様に、ハウジング３４を介して、パネル１５に対向する。このように、押下げ伝達部３２も、パネル１５の表面１６から離間した位置で、釦式操作部２４に対する操作者の操作をパネル１５に伝える。すなわち、押下げ伝達部３２はハウジング３４の取付面３８から離間した位置で、釦式操作部２４に対する操作者の操作をパネル１５に伝える。
【００２９】
押下げ伝達部３２が、ダイヤル式操作部２２の回転伝達部２６に追加して設けられていると考える場合、押下げ伝達部３２は追加伝達部ともいえる。そして、パネル１５の表面１６に実質的に垂直な方向に押下げ可能な釦式操作部２４は、ダイヤル式操作部２２に並んで配置された釦である。追加伝達部である押下げ伝達部３２は釦式操作部２４の押下げに連動して、パネル１５の表面１６に近づくと、釦式操作部２４に対する押下げ操作をパネル１５に伝達する。
【００３０】
なお、操作者が、上部８８から指を離した場合、釦式操作部２４は、押し下げられた状態から元の状態に戻るように上昇する。そのために、図示しない弾性体、例えばゴムが設けられてもよい。
【００３１】
釦式操作部２４、押下げ伝達部３２は、ダイヤル式操作部２２、回転伝達部２６と同様に、導電性材料にて形成されており、互いに電気的に接続されている。なお、釦式操作部２４、押下げ伝達部３２は、同一の材料で形成されてもよいし、別の材料で形成されてもよい。操作者が釦式操作部２４に触れながら押下げ操作すると、それに連動して押下げ伝達部３２も押し下げられる。押し下げられた位置において、押下げ伝達部３２には、指先と同様に電荷が集まる。このように、押下げ伝達部３２は、釦式操作部２４に対する操作者の押下げ操作をパネル１５に伝達する。
【００３２】
図５における点線は、釦式操作部２４が押し下げられた場合の突起部９０の下面および押下げ伝達部３２の位置を示している。これより、釦式操作部２４を押し下げる前と比較して、釦式操作部２４が押し下げられた場合の押下げ伝達部３２と表面１６との間隔は、ダイヤル式操作部２２の回転伝達部２６と表面１６との間隔に略等しくなる。押下げ伝達部３２と回転伝達部２６との距離で表現すると、押下げる前の押下げ伝達部３２と回転伝達部２６との距離よりも、押下げた後の押下げ伝達部３２と回転伝達部２６の距離の方が短くなる。
【００３３】
図６は、表示装置１００の構成を示すブロック図である。表示装置１００は、操作部５０、タッチ検出部６４、制御部５２、音声処理部５４、スピーカ５６、表示処理部５８、表示部６６、記憶部６０を含む。操作部５０は、ダイヤル式操作部２２、釦式操作部２４、タッチボタン６２と総称される第１タッチボタン６２ａ、第Ｎタッチボタン６２ｎを含む（Ｎは２以上の整数）。
【００３４】
ダイヤル式操作部２２、釦式操作部２４は、図４、図５に示された構成を有し、操作者による回転操作、押下げ操作をそれぞれ受け付ける。回転操作は、回転伝達部２６によって伝達され、パネル１５のセンサであるタッチ検出部６４に検出される。押下げ操作は、押下げ伝達部３２によって伝達されて、タッチ検出部６４に検出される。タッチボタン６２は、パネル１５の表示部６６に表示されたソフトキーであり、ソフトキーに対する操作者のタッチ操作も、タッチ検出部６４に検出される。タッチ検出部６４は、検出した回転操作、押下げ操作、タッチ操作の検出信号を制御部５２に出力する。
【００３５】
制御部５２は、表示装置１００におけるカーオーディオ機能、カーナビゲーション機能、温度調節のインターフェイスの機能等を実行する。これらの機能については、公知の技術を使用すればよいので、ここでは説明を省略する。制御部５２は、これらの機能に対する検出信号をタッチ検出部６４から受け付ける。また、制御部５２は、これらの機能での音声出力を音声処理部５４に指示するとともに、これらの機能での画像出力を表示処理部５８に指示する。音声処理部５４は、制御部５２からの指示に応じて音声を生成し、生成した音声をスピーカ５６から出力させる。表示処理部５８は、制御部５２からの指示に応じて画像を生成し、パネル１５の表示部６６に、生成した画像を表示させる。なお、スピーカ５６は表示装置１００に含まれていても含まれていなくてもよい。
【００３６】
図７は、パネル１５に表示された画面を示している。この画面は、制御部５２において、温度調節のインターフェイスの機能を実行する場合の画面である。ダイヤル式操作部２２の周囲に温度目盛７０が１６、１８、・・・２６、２８（℃）のように表示されている。これらは、エアコンディショナーによって設定すべき温度を示す。一方、設定温度インジケータ７２は、設定されている温度を示す。前述のように、操作者がダイヤル式操作部２２を回転させることによって、図示しない回転伝達部２６も、パネル１５に表示される温度目盛７０に沿って移動する。そのため、回転伝達部２６は円弧状の経路を移動する。
【００３７】
円弧状の経路は、複数の区間に分割される。各区間は、互いに異なった温度に対応づけられる。例えば、温度目盛７０のうちの「２４」（℃）の表示領域に近い区間が、２４℃に対応づけられる。このように、温度目盛７０に示された各温度と、各温度に近接した区間とが１対１で対応づけられている。この対応関係は、記憶部６０に記憶されている。
【００３８】
操作者がダイヤル式操作部２２を回転操作することによって、図示しない回転伝達部２６が２４℃に対応づけられた区間に位置すると、タッチ検出部６４は、回転伝達部２６がこの区間に位置していることを検出し、検出信号を制御部５２に出力する。制御部５２は、検出信号に基づき、回転伝達部２６が位置する区間を特定する。さらに、制御部５２は、記憶部６０に記憶された対応関係を参照しながら、特定された区間に対応した温度（ここでは２４℃）を取得する。取得された温度は、エアコンディショナーに出力されるとともに、表示処理部５８によって設定温度インジケータ７２に表示される。
【００３９】
また、釦式操作部２４に対する押下げ操作は、エアコンディショナーのオン／オフに対応づけられており、押下げ操作がなされるごとに、オンとオフが切りかえられる。記憶部６０は、押下げ伝達部３２が検出されるべきパネル１５上の位置（以下、「制御位置」という）と、現在のオン／オフの設定とを記憶している。操作者が釦式操作部２４を押下げ操作すると、タッチ検出部６４は、押下げ伝達部３２の位置を検出し、検出信号を制御部５２に出力する。制御部５２は、検出信号に基づき、押下げ伝達部３２の位置を特定する。さらに、制御部５２は、記憶部６０に記憶された制御位置と、特定された位置との対応を確認する。両者が対応している場合、制御部５２は、記憶部６０に記憶された現在のオン／オフの設定を確認し、現在の設定とは逆の設定をエアコンディショナーに出力するとともに、記憶部６０に記憶された現在のオン／オフの設定を更新する。
【００４０】
図８は、パネル１５に表示された別の画面を示す。この画面は、制御部５２において、カーオーディオ機能あるいはカーナビゲーション機能を実行する場合に表示される。ダイヤル式操作部２２の周囲には、音量表示７４が示される。音量表示７４は、スピーカ５６から出力される音声の音量を示す。図８では、ダイヤル式操作部２２を時計回りにまわすほど音量が大きくなるように予め定められている。図８の場合でも図７と同様に、回転伝達部２６が移動可能な円弧状の経路は、複数の区間に分割される。各区間は、互いに異なった音量に対応づけられる。このように、各音量が近接した区間に１対１で対応づけられている。記憶部６０は、この対応関係を記憶している。
【００４１】
操作者がダイヤル式操作部２２を回転操作して、回転伝達部２６が所定の音量に対応づけられた区間に位置すると、図７の場合と同様に、制御部５２は、特定された区間に対応した音量を取得する。取得された音量は、音声処理部５４に出力される。また、釦式操作部２４に対する押下げ操作は、スピーカ５６のオン／オフに対応づけられており、押下げ操作がなされるごとに、オンとオフが切りかえられる。これは、図７の場合と同様に処理されるので、説明を省略する。
【００４２】
この構成は、ハードウエア的には、任意のコンピュータのＣＰＵ、メモリ、その他のＬＳＩで実現でき、ソフトウエア的にはメモリにロードされたプログラムなどによって実現される。図６はそれらの連携によって実現される機能ブロックを示している。したがって、これらの機能ブロックがハードウエアのみ、ハードウエアとソフトウエアの組合せによっていろいろな形で実現できる。
【００４３】
本実施の形態によれば、操作つまみ２０はパネル１５上に取付可能である。そして操作つまみ２０は、パネル１５の表面から離間した位置から操作をパネル１５に伝える。そのため、操作性と耐久性とを改善できる。また、パネル１５を傷つけることを抑制できる。また、回転伝達部２６あるいは押下げ伝達部３２の摩耗を抑制できる。しかもパネル１５と回転伝達部２６あるいは押下げ伝達部３２との間でゴミが発生したり挟まったりすることを抑制できる。
【００４４】
また、ダイヤル式操作部２２と回転伝達部２６、釦式操作部２４と押下げ伝達部３２とがそれぞれ電気的に接続されている。そのため、ダイヤル式操作部２２あるいは釦式操作部２４を指でつかんだ場合に、静電容量方式のタッチパネルを含んだパネル１５は回転伝達部２６あるいは押下げ伝達部３２の位置を検出することができる。
【００４５】
また、ハウジング３４を介して回転伝達部２６あるい押下げ伝達部３２がパネル１５に対向しているので、回転伝達部２６あるいは押下げ伝達部３２と、パネル１５との直接の接触を防止できる。例えば、上部８８のフランジ状の部分の下面と内側支持部４２の上面との距離を押下げ伝達部３２の下面と基部３６の上面との距離よりも小さくすることで、押下げ伝達部３２と、パネル１５との直接の接触を防止できる。
【００４６】
また、回転伝達部２６は、ダイヤル式操作部２２の回転に連動して軸線ａの周りを回転するので、回転操作の操作性が向上する。押下げ伝達部３２は、釦式操作部２４の押下げに連動して、パネル１５の表面１６に近づくので、押下げ操作の操作性が向上する。
【００４７】
前述のように操作つまみ２０は、接着剤あるいは両面テープによって、パネル１５に接着されている。これ以外に、接着以外の手法によって、操作つまみ２０をパネル１５に取り付けてもよい。一例として、基部３６の外壁に雄ねじが形成され、パネル１５に設けられた凹部の内壁に雌ねじが形成されることによって、操作つまみ２０をパネル１５に螺嵌してもよい。この構成によれば、設計の自由度を向上できる。なおこの構成は本実施の形態に係る他の操作つまみや、他の実施の形態に適用してもよい。
【００４８】
また、回転伝達部２６、押下げ伝達部３２は、パネル１５に対向する面が平坦に形成されている。しかしながらこれに限られない。例えば、回転伝達部２６あるいは押下げ伝達部３２のパネル１５に対向する面は、中央部分が突起する形状を有していてもよい。また、パネル１５の表面１６の形状は平面であることを前提としている。しかしながら、パネル１５の表面１６は、曲面を有する構造であってもよい。この構成によれば、設計の自由度を向上できる。なおこの構成も本実施の形態に係る他の操作つまみや、他の実施の形態に適用してもよい。
【００４９】
次に、図９を参照しながら操作つまみ１２０について説明する。図９は、本実施の形態に係る操作つまみ１２０の構成を示す断面図である。操作つまみ１２０は、操作つまみ２０と同様に、図２に示す表示装置１００において、パネル１５上に取り付けられる。操作つまみ２０は、ダイヤル式操作部２２と釦式操作部２４と有しているが、操作つまみ１２０は、ダイヤル式操作部１２２だけを有している。以下、操作つまみ２０との差異を中心に説明する。
【００５０】
操作つまみ１２０は、ダイヤル式操作部１２２、回転伝達部１２６、連結部１２８、回転部１３０、ハウジング１３４を含む。また、ダイヤル式操作部１２２は、上部１８０、外側壁部１８２、内側壁部１８４を含む。さらに、ハウジング１３４は、基部１３６、外側支持部１４０を含む。
【００５１】
操作つまみ１２０のダイヤル式操作部１２２、回転伝達部１２６、連結部１２８、回転部１３０、ハウジング１３４はそれぞれ、操作つまみ２０のダイヤル式操作部２２、回転伝達部２６、連結部２８、回転部３０、ハウジング３４に対応する。上部１８０、外側壁部１８２、内側壁部１８４、基部１３６、取付面１３８、外側支持部１４０はそれぞれ、操作つまみ２０の上部８０、外側壁部８２、内側壁部８４、基部３６、取付面３８、外側支持部４０に対応する。
【００５２】
操作つまみ１２０は、図５における釦式操作部２４、内側支持部４２を含まない。そのため、基部１３６の中心部分に配置された中央部１８６は、上方向から見た場合に露出する。さらに、取付面１３８とパネル１５とが、透明な接着剤あるいは透明な両面テープによって接着されるとともに、基部１３６が透明な材料で形成されていてもよい。この場合、操作者は、中央部１８６に接したパネル１５に表示された画像を視認可能である。また、この部分にタッチボタンが表示されてもよい。このように、ダイヤル式操作部１２２とタッチボタンとを組み合わせることができる。また、操作つまみ１２０は釦式操作部を有さないので、構成が簡易である。
【００５３】
次に、図１０を参照しながら操作つまみ２２０について説明する。図１０は、本実施の形態に係る操作つまみ２２０の構成を示す断面図である。操作つまみ２２０は、操作つまみ２０と同様に、図２に示す表示装置１００において、パネル１５上に取り付けられる。操作つまみ２０は、ダイヤル式操作部２２と釦式操作部２４と有しているが、操作つまみ２２０は、釦式操作部２２４だけを有している。以下、操作つまみ２０との差異を中心に説明する。
【００５４】
操作つまみ２２０は、釦式操作部２２４、押下げ伝達部２３２、ハウジング２３４を含む。また、釦式操作部２２４は、上部２８８、突起部２９０を含む。さらに、ハウジング２３４は、基部２３６、内側支持部２４２を含む。
【００５５】
操作つまみ２２０の釦式操作部２２４、押下げ伝達部２３２、ハウジング２３４はそれぞれ、操作つまみ２０の釦式操作部２４、押下げ伝達部３２、ハウジング３４に対応する。また、上部２８８、突起部２９０、基部２３６、取付面２３８、内側支持部２４２はそれぞれ、操作つまみ２０の上部８８、突起部９０、基部３６、取付面３８、内側支持部４２に対応する。釦式操作部２２４は、釦式操作部２４と同様に、パネル１５の表面１６に略垂直な方向に押下げ可能な釦式の操作部である。押下げ伝達部２３２は、釦式操作部２２４の押下げに連動して、パネル１５の表面１６に近づく。
【００５６】
このように操作つまみ２２０は、ダイヤル式操作部を有さないので、構成が簡易である。
【００５７】
次に、図１１を参照しながら操作つまみ３２０について説明する。図１１は、本実施の形態に係る操作つまみ３２０の構成を示す断面図である。操作つまみ３２０は、操作つまみ２０と同様に、図２に示す表示装置１００において、パネル１５上に取り付けられる。操作つまみ３２０では、外側支持部が内側壁部を支持する方向が操作つまみ２０とは異なる。以下、操作つまみ２０との差異を中心に説明する。
【００５８】
操作つまみ３２０は、ダイヤル式操作部３２２、釦式操作部３２４、回転伝達部３２６、連結部３２８、回転部３３０、押下げ伝達部３３２、ハウジング３３４を含む。また、ダイヤル式操作部３２２は、上部３８０、外側壁部３８２、内側壁部３８４を含む。釦式操作部３２４は、上部３８８、突起部３９０を含む。さらに、ハウジング３３４は、基部３３６、外側支持部３４０、内側支持部３４２を含む。
【００５９】
基部３３６、取付面３３８、内側支持部３４２、釦式操作部３２４、上部３８８、突起部３９０、押下げ伝達部３３２はそれぞれ、操作つまみ２０の基部３６、取付面３８、内側支持部４２、釦式操作部２４、上部８８、突起部９０、押下げ伝達部３２に対応する。また、上部３８０、外側壁部３８２はそれぞれ、操作つまみ２０の上部８０、外側壁部８２に対応する。
【００６０】
外側支持部３４０は、基部３３６において、内側支持部３４２よりも外側に環状に立設された円筒部と、円筒部の上部から外向きに張り出した平板リング部とを有する。外側支持部３４０は、平板リング部の外側縁部において、後述するダイヤル式操作部３２２の内側壁部３８４を回転可能に支持することによって、ダイヤル式操作部３２２が軸線ａ周りに回転できる。
【００６１】
内側壁部３８４は、外側壁部３８２よりも内側から下垂するように設けられている。操作つまみ２０において、内側壁部８４の外側面の一部が、外側支持部４０に回転可能に支持されているのと同様に、内側壁部３８４の内側面の一部が、ハウジング３３４の外側支持部３４０に回転可能に支持されている。回転伝達部３２６の外側縁部には連結部３２８が設けられており、連結部３２８は、内側壁部３８４（ここでは図１１における右側の内側壁部３８４）の内側面の下方部分に接続されている。
【００６２】
図５に示すように、操作つまみ２０では、外側支持部４０が内側壁部８４よりも外側に配置されており、外側支持部４０が、外側からダイヤル式操作部２２を支持する。一方、図１１に示すように、操作つまみ３２０では、外側支持部３４０が内側壁部３８４よりも内側に配置されており、外側支持部３４０が内側からダイヤル式操作部３２２を支持する。
【００６３】
このように、ダイヤル式操作部を支持する構成は変更可能であり、設計の自由度が向上する。
【００６４】
次に、図１２を参照しながら操作つまみ４２０について説明する。図１２は、本実施の形態に係る操作つまみ４２０の構成を示す断面図である。操作つまみ４２０は、操作つまみ２０と同様に、図２に示す表示装置１００において、パネル１５上に取り付けられる。図１１に示す操作つまみ３２０はダイヤル式操作部３２２と釦式操作部３２４とを有するが、操作つまみ４２０はダイヤル式操作部４２２だけを有している。以下、操作つまみ３２０との差異を中心に説明する。
【００６５】
操作つまみ４２０は、ダイヤル式操作部４２２、回転伝達部４２６、連結部４２８、回転部４３０、ハウジング４３４を含む。また、ダイヤル式操作部４２２は、上部４８０、外側壁部４８２、内側壁部４８４、最内側壁部４９２を含む。さらに、ハウジング４３４は、基部４３６、外側支持部４４０を含む。
【００６６】
操作つまみ４２０のダイヤル式操作部４２２、回転伝達部４２６、連結部４２８、回転部４３０、ハウジング４３４はそれぞれ、操作つまみ３２０のダイヤル式操作部３２２、回転伝達部３２６、連結部３２８、回転部３３０、ハウジング３３４に対応する。上部４８０、外側壁部４８２、内側壁部４８４、基部４３６、取付面４３８、外側支持部４４０はそれぞれ、操作つまみ３２０の上部３８０、外側壁部３８２、内側壁部３８４、基部３３６、取付面３３８、外側支持部３４０に対応する。
【００６７】
最内側壁部４９２は、上部４８０の内側縁部から下垂するように環状に設けられている。最内側壁部４９２は、内側壁部４８４と外側支持部４４０との連結部分が露出することを防ぐために設けられている。操作つまみ４２０の構成には、図１１における釦式操作部３２４、内側支持部３４２が含まれていない。そのため、基部４３６の中心部分に配置された中央部４８６は、上方向から見た場合に露出する。
【００６８】
図９に示す操作つまみ１２０と比較すると、ダイヤル式操作部を支持する構成は変更可能であり、設計の自由度が向上する。
【００６９】
（実施の形態２）
次に、図１３、図１４を参照しながら実施の形態２に係る操作つまみ１０２０について説明する。図１３は、本実施の形態に係る操作つまみ１０２０の構成を示す正面図、図１４は図１３に示す１４−１４線における断面図である。操作つまみ１０２０は、実施の形態１における操作つまみ２０と同様に、図２に示す表示装置１００において、パネル１５上に取り付けられる。操作つまみ１０２０では、釦式操作部１０２４に貫通孔が設けられ、この貫通孔にパネル１５からの光を透過させる導光部１０９４が設けられている。なお、実施の形態１と同じ構成には同じ符号を付し、詳細な説明を省略する場合がある。
【００７０】
図１、図２に示す表示装置１００の周囲の環境が暗くなると、操作つまみの視認性が低下する。視認性が低下すると、操作つまみの操作性にも影響が及ぶ。そのため、操作つまみの視認性の向上が望まれる。そこで、操作つまみ１０２０ではパネル１５からの光を透過させる導光部１０９４が設けられている。
【００７１】
釦式操作部１０２４は、円形状を有し、操作つまみ１０２０の中央部分に配置されている。釦式操作部１０２４は、押し釦であり、操作者に押し下げられることによって、操作者からの押下げ操作を受け付ける。釦式操作部１０２４の中央部分には、導光部１０９４が配置されている。図１３に示すように、導光部１０９４は、上下方向よりも左右方向に長い略矩形状を有し、パネル１５からの光を透過させる。なお、図示するように、導光部１０９４における略矩形状では、矩形状の四隅の角が丸められているので、「略」とは近い・およそという意味で使用される。回転部１０３０は、円環形状を有し、釦式操作部１０２４の周囲に配置されている。回転部１０３０の側面部には、リング状のダイヤル式操作部１０２２が連結されている。ダイヤル式操作部１０２２は、回転部１０３０とともに、時計回りおよび反時計回りに回転可能である。ダイヤル式操作部１０２２は、操作者からの回転操作を受け付ける。
【００７２】
以下の説明において、上下方向および左右方向は図１４に示す位置関係を基準とする。操作つまみ１０２０は、ダイヤル式操作部１０２２、釦式操作部１０２４、回転伝達部１０２６と総称される第１回転伝達部１０２６ａと第２回転伝達部１０２６ｂ、連結部１０２８、回転部１０３０、押下げ伝達部１０３２、導光部１０９４、ハウジング１０３４を含む。また、釦式操作部１０２４は、上部１０８８、突起部１０９０を含む。さらに、ハウジング１０３４は、基部１０３６、支持部１０４０を含む。なお、ハウジング１０３４は、非導電性材料、例えば、プラスチック等によって形成されている。
【００７３】
基部１０３６は、円形平板状に形成されている。基部１０３６の半径は、中心軸ａから回転伝達部１０２６までの距離よりも大きく、環状のダイヤル式操作部１０２２の半径よりも小さい。基部１０３６の下面は、操作つまみ１０２０をパネル１５に取り付けるための取付面１０３８を構成している。取付面１０３８は、接着剤あるいは両面テープによってパネル１５に接着されてもよい。
【００７４】
なお、図１４に示すパネル１５では、基部１０３６の取付面１０３８が取り付けられる部分は、他の部分よりも下方向に凹んだ形状であって、かつ円形平板状に形成された基部１０３６を収納可能な形状を有する。さらに、この部分の周囲には、リング形状の防水壁１０９８が立設されている。防水壁１０９８は、パネル１５の表面１６に沿って操作つまみ１０２０の外側から内側へ、水が流入することを防止する。このように、パネル１５は、基部１０３６の取付面１０３８が取り付けられる部分において窪み、防水壁１０９８において突出した形状を有する。表面１６は、取付面１０３８が取り付けられる窪んだ部分、防水壁１０９８等の最上部である。すなわち、表面１６は、パネル１５の形状に応じた起伏を有する。なお、パネル１５および表面１６は、起伏を有さない平らな形状であってもよい。
【００７５】
支持部１０４０は、基部１０３６において、釦式操作部１０２４と回転部１０３０との間に環状に立設されている。支持部１０４０が、外側面において、回転部１０３０の内側面を回転可能に支持することによって、回転部１０３０に連結されたダイヤル式操作部１０２２が中心軸ａ周りに回転できる。また、支持部１０４０が、内側面において釦式操作部１０２４の突起部１０９０を上下方向に移動可能に支持することによって、釦式操作部１０２４が押下げ可能になっている。すなわち、釦式操作部１０２４は、パネル１５と反対側に操作面１０８８Ａを有する。
【００７６】
回転部１０３０は、略円筒形状を有し、非導電性材料によって形成されている。回転部１０３０の内側面の下部は、前述のように、ハウジング１０３４の支持部１０４０に回転可能に支持されている。一方、回転部１０３０の外側面には、ダイヤル式操作部１０２２が環状に連結されている。このような構成において、操作者がダイヤル式操作部１０２２を操作すると、ダイヤル式操作部１０２２は、パネル１５の表面１６に略垂直な軸線ａの周りを回転する。
【００７７】
第１回転伝達部１０２６ａと第２回転伝達部１０２６ｂは、図１３に示すように操作つまみ１０２０を正面から透視した場合、矩形状に形成され、操作つまみ１０２０を形成している円形状の直径上において、円形状の中心を挟んだ対称的な位置に配置されている。第１回転伝達部１０２６ａと第２回転伝達部１０２６ｂは、パネル１５におけるセンサに感知されるために必要な大きさに設計されている。回転伝達部１０２６は、上下方向において、パネル１５の表面１６から離間した位置に設けられ、ハウジング１０３４の基部１０３６を介して、パネル１５に対向している。回転伝達部１０２６の外側縁部には連結部１０２８が設けられており、連結部１０２８は、ダイヤル式操作部１０２２の内側面の下方部分に接続されている。ダイヤル式操作部１０２２と回転伝達部１０２６と連結部１０２８とは一体的に形成されてもよく、別々に形成されていてもよい。ダイヤル式操作部１０２２と回転伝達部１０２６とが連結部１０２８により連結されているため、回転伝達部１０２６は、ダイヤル式操作部１０２２の回転に連動して、軸線ａの周りを回転する。
【００７８】
ダイヤル式操作部１０２２、連結部１０２８、回転伝達部１０２６は、導電性材料、例えば、金属、導電性樹脂にて形成されている。なお、ダイヤル式操作部１０２２、回転伝達部１０２６は、同一の材料で形成されてもよいし、別の材料で形成されてもよい。導電性材料により形成されたダイヤル式操作部１０２２と回転伝達部１０２６とは、互いに電気的に接続されている。そのため、操作者がダイヤル式操作部１０２２に触れると、回転伝達部１０２６には、指先と同様に電荷が集まるため、回転伝達部１０２６の位置がパネル１５のセンサに検出される。さらに、ダイヤル式操作部１０２２に対する回転操作に連動して、回転伝達部１０２６も回転するので、パネル１５のセンサは回転操作に応じた回転伝達部１０２６の位置を検出する。このように、回転伝達部１０２６は、パネル１５の表面１６から離間した位置で、ダイヤル式操作部１０２２に対する操作者の操作をパネル１５に伝える。
【００７９】
上部１０８８は、円形平板状に形成されており、円形環状の回転部１０３０に取り囲まれるように配置されている。突起部１０９０は、上部１０８８の下面の中央部分から下向きに突設される。突起部１０９０は、円柱状に形成されており、その直径は、上部１０８８の直径よりも小さい。突起部１０９０は、前述のように、ハウジング１０３４の支持部１０４０の内側面に上下方向に移動可能に支持されている。上部１０８８と突起部１０９０とは、一体的に形成されてよく、これらは別々に形成されていてもよい。このような構成において、操作者が、上部１０８８を押し下げると、釦式操作部１０２４は、パネル１５の表面１６に略垂直な方向に押し下げられる。
【００８０】
押下げ伝達部１０３２は、突起部１０９０の下面に設けられている。また、押下げ伝達部１０３２は、釦式操作部１０２４の押下げに連動して、パネル１５の表面１６に近づく。しかしながら、釦式操作部１０２４が押し下げられた状態においても、押下げ伝達部１０３２は、上下方向において、パネル１５の表面１６から離間した状態を保つ。また、押下げ伝達部１０３２は、回転伝達部１０２６と同様に、ハウジング１０３４を介して、パネル１５に対向している。押下げ伝達部１０３２が、ダイヤル式操作部１０２２の回転伝達部１０２６に追加して設けられていると考えれば、押下げ伝達部１０３２は追加伝達部ともいえる。なお、操作者が、上部１０８８から指を離した場合、釦式操作部１０２４は、押し下げられた状態から元の状態に戻るように上昇する。そのために、図示しない弾性体、例えばゴムや板バネが設けられてもよい。
【００８１】
釦式操作部１０２４、押下げ伝達部１０３２は、ダイヤル式操作部１０２２等と同様に、導電性材料にて形成されており、これらは互いに電気的に接続されている。なお、釦式操作部１０２４、押下げ伝達部１０３２は、同一の材料で形成されてもよいし、別の材料で形成されてもよい。操作者が釦式操作部１０２４に触れながら押下げ操作を実行すると、それに連動して押下げ伝達部１０３２も押し下げられる。押し下げられた位置において、押下げ伝達部１０３２には、指先と同様に電荷が集まる。このように、押下げ伝達部１０３２は、釦式操作部１０２４に対する操作者の押下げ操作をパネル１５に伝達する。
【００８２】
図１４において、点線は、釦式操作部１０２４が押し下げられた場合の突起部１０９０の下面および押下げ伝達部１０３２の位置を示している。図１４からわかるように、釦式操作部１０２４が押し下げられた場合の押下げ伝達部１０３２と表面１６との間隔は、回転伝達部１０２６と表面１６との間隔に略等しい。押下げ伝達部１０３２と回転伝達部１０２６との距離でいえば、押下げ前の押下げ伝達部１０３２と回転伝達部１０２６との距離よりも、押下げ後の押下げ伝達部１０３２と回転伝達部１０２６の距離の方が短い。以上の基本的な構成は操作つまみ２０とほぼ同様である。
【００８３】
釦式操作部１０２４は、パネル１５と反対側に操作面１０８８Ａを有し、釦式操作部１０２４の中心部分には、操作面１０８８Ａからパネル１５へ向かう上下方向に貫通孔が設けられている。貫通孔には、導光部１０９４が、接着剤等によって内設されている。導光部１０９４は、パネル１５と反対側に第１端部１０９４Ａを有する。導光部１０９４は、光透過性のある非導電性材料で形成され、パネル１５から入射された光を透過させ、光を上部から出力する。このような光の出力によって、周囲の環境が暗くても、釦式操作部１０２４の視認性が向上する。さらに、光源がパネル１５であるので、パネル１５での表示の光色を変更するだけで、導光部１０９４の照明色が変更される。なお、釦式操作部１０２４を形成している導電性材料では、一般的に透過性が十分でないので、導光部１０９４が設けられない釦式操作部は光らない。一方、釦式操作部１０２４には、透過性を有した導光部１０９４が設けられているので、釦式操作部１０２４は間接的に光ることができる。
【００８４】
このような構成において、仮に操作者が、導光部１０９４だけに触れ、釦式操作部１０２４の上部１０８８の操作面１０８８Ａに触れない場合、操作者による押下げ操作は、押下げ伝達部１０３２からパネル１５に伝えられない。そのため、操作者が釦式操作部１０２４の操作面を確実に触れる必要がある。これに対応するために、図１４に示すように、導光部１０９４の第１端部１０９４Ａは、釦式操作部１０２４の操作面１０８８Ａよりもパネル１５に近い位置に設けられることが好ましい。つまり、導光部１０９４の第１端部１０９４Ａは、操作面１０８８Ａよりも下方に配置されていることが好ましい。このような配置によって、操作者の指が、導光部１０９４だけに触れられる状況が抑制される。
【００８５】
図１３における導光部１０９４の第１端部１０９４Ａは、最も狭い部分において０ｍｍより大きく８．６ｍｍ以下の幅を有することが好ましい。操作つまみ１０２０の操作者が３歳以上であると想定すると、玩具安全基準、国際電気標準会議（ＩＥＣ）規格に適合していることが好ましい。この規格において、チャイルドテストフィンガーの直径は３歳から１４歳において直径８．６ｍｍと定められている。このように釦式操作部１０２４は、指が釦式操作部１０２４に接触するか、釦式操作部１０２４と導光部１０９４とに同時に接触する形状であればよい。
【００８６】
表示装置１００の構成は、実施の形態１で図６を参照して説明した内容と同様であるので説明を省略する。
【００８７】
ただし、制御部５２は、釦式操作部１０２４に対する押下げ操作が受付可能であるか否かを管理し、受付可能であるか否かに応じて表示色を変更するように表示処理部５８に指示してもよい。表示処理部５８は、受けつけた指示に応じて、導光部１０９４から出力される光色を変更するように、表示部６６での表示色を変更する。例えば、表示処理部５８は、受付可能であれば、表示部６６のうち、導光部１０９４に対応した部分を青色に点灯させ、受けつけ不可能であれば、この部分を赤色に点灯させる。
【００８８】
図１５は、パネル１５に表示された画面を示す。この画面は、制御部５２において、温度調節のインターフェイスの機能を実行する場合を示している。温度目盛７０や設定温度インジケータ７２および操作つまみ１０２０を用いた温度設定や、エアコンディショナーのオン／オフの仕組みは、実施の形態１において図７を参照して説明したのと同様なので説明を省略する。
【００８９】
図１６は、パネル１５に表示された別の画面を示す。この画面は、制御部５２において、カーオーディオ機能あるいはカーナビゲーション機能を実行する場合を示している。音量表示７４および操作つまみ１０２０を用いた音量設定や、スピーカ５６のオン／オフの仕組みは、実施の形態１において図８を参照して説明したのと同様なので説明を省略する。
【００９０】
図６に示す制御部５２は、釦式操作部１０２４に対する押下げ操作が可能であるか否かに応じて、導光部１０９４から出力される光の光色を変更する。前述のように、受付可能であれば、導光部１０９４の「ＳＥＬＥＣＴ」と示された部分は青色に点灯され、受けつけ不可能であれば、導光部１０９４の「ＳＥＬＥＣＴ」と示された部分は赤色に点灯される。
【００９１】
以上のように、操作つまみ１０２０は、操作つまみ２０と同様の効果を奏する。加えて、釦式操作部１０２４に導光部１０９４が内設されているので、パネル１５からの光を操作面１０８８Ａへと出力でき、操作つまみ１０２０の視認性を向上でき、ひいては操作つまみ１０２０の操作性を向上できる。また、導光部１０９４が光透過性を有するので、釦式操作部１０２４が導電性材料であっても、点灯が可能にされる。また、パネル１５からの光を出力するので、パネル１５の表示色を変更するだけで、光色を簡易に変更でき、操作性をさらに向上できる。また、導光部１０９４の第１端部１０９４Ａが釦式操作部１０２４の操作面１０８８Ａよりも下方に位置するので、操作者は確実に釦式操作部１０２４へ接触することができる。
【００９２】
前述のように、導光部１０９４は正面視で、上下方向よりも左右方向に長い略矩形状で、かつ四隅の角が丸められた形状を有している。しかしながら導光部１０９４の形状はこれに限られない。他の形状、例えば、矩形、三角形、丸等であってもよい。この構成によれば、設計の自由度を向上できる。なおこの構成は本実施の形態に係る他の操作つまみに適用してもよい。
【００９３】
また、導光部１０９４は、釦式操作部１０２４の中央部分に内設されており、釦式操作部１０２４の周囲に回転部１０３０とダイヤル式操作部１０２２とが配置されている。しかしながらこれに限らず、例えば、釦式操作部１０２４が配置されておらず、釦式操作部１０２４が配置されていた部分まで、回転部１０３０あるいはダイヤル式操作部１０２２が延設されてもよい。その際、導光部１０９４は、回転部１０３０あるいはダイヤル式操作部１０２２の中央部分の貫通孔に内設される。このように、回転操作だけを受けつける操作つまみでもダイヤル式操作部１０２２および回転部１０３０を光らせることができる。
【００９４】
また操作つまみ１０２０には、ふたつの回転伝達部１０２６が設けられている。しかしながらこれに限らず、例えば、回転伝達部１０２６はひとつでもよい。この構成により、設計の自由度を向上できる。
【００９５】
次に、図１７を参照しながら操作つまみ１１２０について説明する。図１７は、本実施の形態に係る操作つまみ１１２０の構成を示す断面図である。操作つまみ１１２０は、操作つまみ１０２０と同様に、図２に示す表示装置１００において、パネル１５上に取り付けられる。操作つまみ１０２０は、ダイヤル式操作部１０２２と釦式操作部１０２４と有しているが、操作つまみ１１２０は、釦式操作部１１２４だけを有している。以下、操作つまみ１０２０との差異を中心に説明する。
【００９６】
操作つまみ１１２０は、釦式操作部１１２４、押下げ伝達部１１３２、導光部１１９４、ハウジング１１３４を含む。また、釦式操作部１１２４は、上部１１８８、突起部１１９０を含む。さらに、ハウジング１１３４は、基部１１３６、支持部１１４０を含む。
【００９７】
釦式操作部１１２４、押下げ伝達部１１３２、導光部１１９４、ハウジング１１３４はそれぞれ、操作つまみ１０２０の釦式操作部１０２４、押下げ伝達部１０３２、導光部１０９４、ハウジング１０３４に対応する。また、上部１１８８、操作面１１８８Ａ、突起部１１９０、基部１１３６、取付面１１３８、支持部１１４０はそれぞれ、操作つまみ１０２０の上部１０８８、操作面１０８８Ａ、突起部１０９０、基部１０３６、取付面１０３８、支持部１０４０に対応する。
【００９８】
操作つまみ１１２０は、図１４におけるダイヤル式操作部１０２２、回転伝達部１０２６、連結部１０２８、回転部１０３０を含まない。釦式操作部１１２４の上部１１８８は、操作つまみ１０２０と同様に、釦式操作部１１２４の上面側操作部分を構成する。また、上部１１８８は、支持部１１４０の外側において、下垂するように延設される。この部分は、釦式操作部１１２４の側面側操作部分を構成する。
【００９９】
操作つまみ１１２０は、ダイヤル式操作部を有さず、釦式操作部１１２４を有するので、構成が簡易である。また、釦式操作部１１２４の露出した部分の面積が広がるので、操作者は釦式操作部１１２４へ確実に接触することができる。
【０１００】
次に、図１８を参照しながら操作つまみ１２２０について説明する。図１８は、本実施の形態に係る操作つまみ１２２０の構成を示す断面図である。操作つまみ１２２０は、操作つまみ１０２０と同様に、図２に示す表示装置１００において、パネル１５上に取り付けられる。操作つまみ１２２０は、操作つまみ１１２０と異なる形状の導光部１２９４を有する。以下、操作つまみ１１２０との差異を中心に説明する。
【０１０１】
操作つまみ１２２０は、釦式操作部１２２４、押下げ伝達部１２３２、導光部１２９４、ハウジング１２３４を含む。また、釦式操作部１２２４は、上部１２８８、突起部１２９０を含む。さらに、ハウジング１２３４は、基部１２３６、支持部１２４０を含む。
【０１０２】
操作つまみ１２２０の釦式操作部１２２４、押下げ伝達部１２３２、導光部１２９４、ハウジング１２３４はそれぞれ、操作つまみ１１２０の釦式操作部１１２４、押下げ伝達部１１３２、導光部１１９４、ハウジング１１３４に対応する。また、上部１２８８、操作面１２８８Ａ、突起部１２９０、基部１２３６、取付面１２３８、支持部１２４０はそれぞれ、操作つまみ１１２０の上部１１８８、操作面１１８８Ａ、突起部１１９０、基部１１３６、取付面１１３８、支持部１１４０に対応する。
【０１０３】
前述のように、釦式操作部１２２４の操作面１２８８Ａを操作者が確実に触れる構成が必要である。これに対応するために、操作つまみ１２２０では操作つまみ１０２０、１１２０とは異なって、図１８に示すように、導光部１２９４の第１端部１２９４Ａは、釦式操作部１２２４の操作面よりもパネル１５から離れた位置に設けられる。つまり、導光部１２９４におけるパネル１５と反対側の第１端部１２９４Ａは、釦式操作部１２２４の操作面１２８８Ａよりも上方に配置されている。このような配置によって、仮に操作者の指が導光部１２９４だけに触れた場合であっても、操作者はそのことを認識する。そのため、操作者は、釦式操作部１２２４の操作面１２８８Ａを触れるように、押下げ操作を再度実行する。なお、操作つまみ１０２０について図１３を参照して説明したように、導光部１２９４の第１端部１２９４Ａは、最も狭い部分において８．６ｍｍ以下の幅を有する。
【０１０４】
以上のように、操作つまみ１２２０も操作つまみ１１２０と同様に、ダイヤル式操作部を有さず、釦式操作部１２２４を有するので、構成が簡易である。また、釦式操作部１２２４の露出した部分の面積が広がるので、操作者は釦式操作部１２２４へ確実に接触することができる。また、導光部１２９４の第１端部１２９４Ａが釦式操作部１２２４の操作面１２８８Ａよりも上方に配置されているので、操作者が導光部１２９４だけに触れていることを操作者に認識させることができる。
【０１０５】
次に、図１９を参照しながら操作つまみ１３２０について説明する。図１９は、本実施の形態に係る操作つまみ１３２０の構成を示す断面図である。操作つまみ１３２０は、操作つまみ１０２０と同様に、図２に示す表示装置１００において、パネル１５上に取り付けられる。操作つまみ１３２０は、操作つまみ１１２０と異なる形状の釦式操作部１３２４を有する。以下、操作つまみ１１２０との差異を中心に説明する。
【０１０６】
操作つまみ１３２０は、釦式操作部１３２４、押下げ伝達部１３３２、導光部１３９４、ハウジング１３３４を含む。また、釦式操作部１３２４は、突起部１３９０を含む。さらに、ハウジング１３３４は、基部１３３６、支持部１３４０を含む。
【０１０７】
操作つまみ１３２０の釦式操作部１３２４、押下げ伝達部１３３２、導光部１３９４、ハウジング１３３４はそれぞれ、操作つまみ１１２０の釦式操作部１１２４、押下げ伝達部１１３２、導光部１１９４、ハウジング１１３４に対応する。また、突起部１３９０、基部１３３６、取付面１３３８、支持部１３４０はそれぞれ、操作つまみ１１２０の突起部１１９０、基部１１３６、取付面１１３８、支持部１１４０に対応する。
【０１０８】
釦式操作部１３２４は、環状の支持部１３４０の内側面の直径よりも小さい直径を有し、正面側から見た場合に、支持部１３４０からはみ出さずに支持部１３４０に収納されている。そのため、操作つまみ１３２０は、操作面１３２４Ａのみが露出しており、側面に操作部分を有さない。
【０１０９】
以上のように、釦式操作部１３２４は、正面から見た場合に、釦式操作部１３２４が支持部１３４０からはみ出さずに収納されているので、操作つまみ１３２０は小型になる。そのため、パネル１５における操作つまみ１３２０が配置された以外の表示面積の低減を抑制できる。また、表示面積の低減が抑制されるので、パネル１５の表示サイズが小型でも操作つまみ１３２０を容易に取付ることができる。
【０１１０】
（実施の形態３）
次に、図２０、図２１を参照しながら実施の形態３に係る操作つまみ２０２０について説明する。図２０は、本実施の形態に係る操作つまみ２０２０の構成を示す正面図、図２１は図２０に示す２１−２１線における断面図である。操作つまみ２０２０は、実施の形態１における操作つまみ２０と同様に、図２に示す表示装置１００において、パネル１５上に取り付けられる。操作つまみ２０２０では、ダイヤル式操作部２０２２の操作面２０２２Ａと、釦式操作部２０２４の操作面２０８８Ａとの間に隔離部２０９６が配置されている。ダイヤル式操作部２０２２、釦式操作部２０２４は導電性材料で形成され、隔離部２０９６は非導電性材料で形成されている。なお、実施の形態１と同じ構成には同じ符号を付し、詳細な説明を省略する場合がある。
【０１１１】
実施の形態１、２において、いくつかの操作つまみは回転操作するためのダイヤル式操作部と、押下げ操作するための釦式操作部ととを有する。このように２つの操作部を設けることにより、操作つまみの利便性は向上する。しかしながら、そのような操作つまみの釦式操作部に対して操作者が押下げ操作を実行しているときに、操作者の指がダイヤルに触れてしまう場合がある。このような場合、ダイヤル式操作部は誤って回転操作される。このような問題を避けるため、複数の操作を実行可能なひとつの操作つまみにおいては、操作の正確性の向上が望まれる。そこで、操作つまみ２０２０には隔離部２０９６が設けられている。なお操作つまみ２０２０の基本的な構成は実施の形態２で図１４を参照しながら説明した操作つまみ１０２０と同様である。
【０１１２】
すなわち、操作つまみ２０２０は、ダイヤル式操作部２０２２、釦式操作部２０２４、回転伝達部２０２６、連結部２０２８、回転部２０３０、押下げ伝達部２０３２、ハウジング２０３４、隔離部２０９６を含む。また、釦式操作部２０２４は、上部２０８８、突起部２０９０を含む。さらに、ハウジング２０３４は、基部２０３６、支持部２０４０を含む。
【０１１３】
ダイヤル式操作部２０２２、釦式操作部２０２４、回転伝達部２０２６、連結部２０２８、回転部２０３０、押下げ伝達部２０３２、ハウジング２０３４はそれぞれ、操作つまみ１０２０のダイヤル式操作部１０２２、釦式操作部１０２４、回転伝達部１０２６、連結部１０２８、回転部１０３０、押下げ伝達部１０３２、ハウジング１０３４に対応する。また、上部２０８８、操作面２０８８Ａ、突起部２０９０、基部２０３６、取付面２０３８、支持部２０４０はそれぞれ、操作つまみ１０２０の上部１０８８、操作面１０８８Ａ、突起部１０９０、基部１０３６、取付面１０３８、支持部１０４０に対応する。
【０１１４】
また図２１に示すパネル１５は、図１４に示すパネル１５と同様に構成されている。すなわち、基部２０３６の取付面２０３８を取り付けられる部分は、他の部分よりも下方向に凹んでおり、基部２０３６を収納可能である。またこの部分の周囲には、リング形状の防水壁２０９８が立設されている。なお、パネル１５および表面１６は、起伏を有さない平らな形状であってもよい。防水壁２０９８は操作つまみ１０２０の防水壁１０９８に対応する。以上の操作つまみ１０２０と同様の構成については構成、作用も同様であるので、詳細な説明を省略する。
【０１１５】
隔離部２０９６は、下向きに突出した階段状の円筒形状を有し、回転部２０３０に取り囲まれ、かつ釦式操作部２０２４を取り囲むように配置されている。前述のように、回転部２０３０の外側には、ダイヤル式操作部２０２２が配置されているので、隔離部２０９６は、ダイヤル式操作部２０２２と釦式操作部２０２４との間に配置されている。隔離部２０９６は、前述のように、ハウジング２０３４の支持部２０４０の内側面に上下方向に移動可能に支持されている。上部２０８８は、円形平板状に形成されており、隔離部２０９６の円形環状部分に取り囲まれるように配置されている。突起部２０９０は、上部２０８８の下面の中央部分から下向きに突設されている。突起部２０９０は、円柱状に形成されており、その直径は、上部２０８８の直径よりも小さい。上部２０８８と突起部２０９０とは、一体的に形成されてもよく、別々に形成されていてもよい。また、上部２０８８と突起部２０９０は、隔離部２０９６の内側面に連結されている。このような構成において、操作者が、上部２０８８を押し下げると、釦式操作部２０２４および隔離部２０９６は、パネル１５の表面１６に略垂直な方向に押し下げられる。
【０１１６】
前述のように、ダイヤル式操作部２０２２のうちの操作者に触れられる操作面２０８８Ａと、釦式操作部２０２４のうちの操作者に触れられる操作面２０２２Ａとが隣接している場合、操作者の指が両方の操作面２０８８Ａ、２０２２Ａに触れる可能性がある。この可能性を低減するために、操作つまみ２０２０では、操作面２０８８Ａと操作面２０２２Ａとの間に、非導電性材料で形成された回転部２０３０と隔離部２０９６とが配置されている。回転部２０３０と隔離部２０９６は、ダイヤル式操作部２０２２と釦式操作部２０２４とを電気的に隔離する。なお、回転部２０３０はダイヤル式操作部２０２２に連結された第１隔離部として機能し、隔離部２０９６は釦式操作部２０２４に連結された第２隔離部として機能する。
【０１１７】
以上のように、操作つまみ２０２０は、操作部として、導電性材料で形成されたダイヤル式操作部２０２２と、導電性材料で形成され、ダイヤル式操作部２０２２に並んで配置された釦式操作部２０２４とを有する。ダイヤル式操作部２０２２、釦式操作部２０２４の一方は第１操作部であり、他方は第２操作部である。また操作つまみ２０２０は、伝達部として、回転伝達部２０２６と押下げ伝達部２０３２とを有する。回転伝達部２０２６、押下げ伝達部２０３２の一方は第１伝達部であり、他方は第２伝達部である。回転伝達部２０２６は、パネル１５の表面１６から離間した位置で、ダイヤル式操作部２０２２に対する操作をパネル１５に伝える。押下げ伝達部２０３２は、パネル１５の表面１６から離間した位置で、釦式操作部２０２４に対する操作をパネル１５に伝える。隔離部２０９６は、ダイヤル式操作部２０２２の操作面２０２２Ａと、釦式操作部２０２４の操作面２０８８Ａとの間に配置されている。ダイヤル式操作部２０２２、釦式操作部２０２４は導電性材料で形成され、回転部２０３０と隔離部２０９６は非導電性材料で形成されている。
【０１１８】
表示装置１００の構成は、実施の形態１で図６を参照して説明した内容と同様であるので説明を省略する。
【０１１９】
図２２は、パネル１５に表示された画面を示す。この画面は、制御部５２において、温度調節のインターフェイスの機能を実行する場合を示している。温度目盛７０や設定温度インジケータ７２および操作つまみ２０２０を用いた温度設定や、エアコンディショナーのオン／オフの仕組みは、実施の形態１において図７を参照して説明したのと同様なので説明を省略する。
【０１２０】
図２３は、パネル１５に表示された別の画面を示す。この画面は、制御部５２において、カーオーディオ機能あるいはカーナビゲーション機能を実行する場合を示している。音量表示７４および操作つまみ２０２０を用いた音量設定や、スピーカ５６のオン／オフの仕組みは、実施の形態１において図８を参照して説明したのと同様なので説明を省略する。
【０１２１】
以上のように、操作つまみ２０２０は、操作つまみ２０と同様の効果を奏する。加えて、ダイヤル式操作部２０２２の操作面２０２２Ａと釦式操作部２０２４の操作面２０８８Ａとの間に回転部２０３０と隔離部２０９６とが配置されているので、操作面２０８８Ａと操作面２０２２Ａとの両方に操作者の指が触れる状況の発生を抑制できる。そのため、誤った操作を抑制できる。その結果、複数の操作を実行可能なひとつの操作つまみに対する操作の正確性を向上できる。
【０１２２】
次に、図２４を参照しながら操作つまみ２１２０について説明する。図２４は、本実施の形態に係る操作つまみ２１２０の構成を示す断面図である。操作つまみ２１２０は、操作つまみ２０２０と同様に、図２に示す表示装置１００において、パネル１５上に取り付けられる。操作つまみ２１２０は、操作つまみ２０２０と比較して、ダイヤル式操作部の操作面と釦式操作部の操作面とを隔離するための構成が異なる。以下、操作つまみ２０２０との差異を中心に説明する。
【０１２３】
操作つまみ２１２０は、ダイヤル式操作部２１２２、回転伝達部２１２６、釦式操作部２１２４、押下げ伝達部２１３２、隔離部２１９６、ハウジング２１３４を含む。また、釦式操作部２１２４は、上部２１８８、突起部２１９０を含む。さらに、ハウジング２１３４は、基部２１３６、支持部２１４０を含む。
【０１２４】
釦式操作部２１２４、押下げ伝達部２１３２、隔離部２１９６、ハウジング２１３４はそれぞれ、操作つまみ２０２０における釦式操作部２０２４、押下げ伝達部２０３２、隔離部２０９６、ハウジング２０３４に対応する。上部２１８８、操作面２１８８Ａ、２１２２Ａ、突起部２１９０、基部２１３６、支持部２１４０、取付面２１３８、防水壁２１９８はそれぞれ、操作つまみ２０２０における上部２０８８、操作面２０８８Ａ、２０２２Ａ、突起部２０９０、基部２０３６、支持部２０４０、取付面２０３８、防水壁２０９８に対応する。
【０１２５】
操作つまみ２１２０は、回転部２０３０を含まず、その部分にもダイヤル式操作部２１２２が配置されている。さらに、操作つまみ２１２０は、連結部２０２８を含まず、ダイヤル式操作部２１２２と回転伝達部２１２６とが直接接続されている。このような構成によって、釦式操作部２１２４に連結された隔離部２１９６のみが、操作面２１８８Ａと操作面２１２２Ａとの間に配置され、両者を隔離している。
【０１２６】
このように操作つまみ２１２０は、回転部を含まず、隔離部２１９６を含むので、構成が簡易である。また、構成を簡易にしながら、隔離部２１９６によって操作面２１８８Ａと操作面２１２２Ａとの両方に操作者の指が触れる状況の発生を抑制できる。
【０１２７】
次に、図２５を参照しながら操作つまみ２２２０について説明する。図２５は、本実施の形態に係る操作つまみ２２２０の構成を示す断面図である。操作つまみ２２２０は、操作つまみ２０２０と同様に、図２に示す表示装置１００において、パネル１５上に取り付けられる。
【０１２８】
操作つまみ２２２０は、ダイヤル式操作部２２２２、回転部２２３０、回転伝達部２２２６、連結部２２２８、釦式操作部２２２４、押下げ伝達部２２３２、ハウジング２２３４を含む。また、釦式操作部２２２４は、上部２２８８、突起部２２９０を含む。さらに、ハウジング２２３４は、基部２２３６、支持部２２４０を含む。
【０１２９】
ダイヤル式操作部２２２２、回転部２２３０、回転伝達部２２２６、連結部２２２８、釦式操作部２２２４、押下げ伝達部２２３２、ハウジング２２３４はそれぞれ、操作つまみ２０２０におけるダイヤル式操作部２０２２、回転部２０３０、回転伝達部２０２６、連結部２０２８、釦式操作部２０２４、押下げ伝達部２０３２、ハウジング２０３４に対応する。また、上部２２８８、操作面２２８８Ａ、２２２２Ａ、突起部２２９０、基部２２３６、取付面２２３８、支持部２２４０、防水壁２２９８はそれぞれ、操作つまみ２０２０における上部２０８８、操作面２０８８Ａ、２０２２Ａ、突起部２０９０、基部２０３６、取付面２０３８、支持部２０４０、防水壁２０９８に対応する。
【０１３０】
操作つまみ２２２０は、隔離部２０９６を含まず、その部分にも釦式操作部２２２４が配置されている。この構成では、ダイヤル式操作部２２２２に連結された回転部２２３０のみが、ダイヤル式操作部２２２２の操作面と釦式操作部２２２４の操作面との間に配置され、両者を隔離している。すなわち、回転部２２３０が隔離部として機能する。このように操作つまみ２２２０は、釦式操作部２２２４に連結された隔離部を含まず、隔離部としての回転部２２３０を含むので、構成が簡易である。
【０１３１】
次に、図２６、図２７を参照しながら操作つまみ２３２０について説明する。図２６は、本実施の形態に係る操作つまみ２３２０の構成を示す正面図、図２７は図２６に示す２７−２７線における断面図である。操作つまみ２３２０は、操作つまみ２０２０と同様に、図２に示す表示装置１００において、パネル１５上に取り付けられる。
【０１３２】
操作つまみ２３２０は、ダイヤル式操作部２３２２、釦式操作部２３２４、回転伝達部２３２６と総称される第１回転伝達部２３２６ａ、第２回転伝達部２３２６ｂ、連結部２３２８、回転部２３３０、押下げ伝達部２３３２、導光部２３９４、ハウジング２３３４、隔離部２３９６を含む。また、釦式操作部２３２４は、上部２３８８、突起部２３９０を含む。さらに、ハウジング２３３４は、基部２３３６、支持部２３４０を含む。
【０１３３】
ダイヤル式操作部２３２２、回転部２３３０、押下げ伝達部２３３２、ハウジング２３３４、隔離部２３９６はそれぞれ、操作つまみ２０２０におけるダイヤル式操作部２０２２、回転部２０３０、押下げ伝達部２０３２、ハウジング２０３４、隔離部２０９６に対応する。上部２３８８、操作面２３８８Ａ、２３２２Ａ、突起部２３９０、基部２３３６、取付面２３３８、支持部２３４０、防水壁２３９８はそれぞれ、操作つまみ２０２０における上部２０８８、操作面２０８８Ａ、２０２２Ａ、突起部２０９０、基部２０３６、取付面２０３８、支持部２０４０、防水壁２０９８に対応する。また回転伝達部２３２６の構成、作用およびその変形例は実施の形態２の回転伝達部１０２６と同様である。
【０１３４】
釦式操作部２３２４の中央部分には、導光部２３９４が配置されている。導光部２３９４は、実施の形態２の操作つまみ１０２０における導光部１０９４に対応する。導光部２３９４の構成、作用およびそのバリエーションは導光部１０９４と同様である。したがって操作つまみ２３２０は操作つまみ１０２０と同様の効果を奏する。
【０１３５】
なお本実施の形態による操作つまみは、いずれも、第１操作部としてのダイヤル式操作部と、ダイヤル式操作部に並んで配置された第２操作部である釦式操作部とを有する。しかしながら複数の釦式操作部を並べて配置し、それらのうちのどの２つの間にも隔離部を形成してもよい。また同心円状に複数のダイヤル式操作部を配置し、それらのうちのどの２つの間にも隔離部を形成してもよい。
【０１３６】
（実施の形態４）
次に、図２８、図２９を参照しながら実施の形態４に係る操作つまみ３０２０について説明する。図２８は、本実施の形態に係る操作つまみ３０２０の構成を示す正面図、図２９は図２８に示す２９−２９線における断面図である。操作つまみ３０２０は、実施の形態１における操作つまみ２０と同様に、図２に示す表示装置１００において、パネル１５上に取り付けられる。操作つまみ３０２０は、ハウジング３０３４の外側面から突設され、パネル１５に係止される被係止部３１００を有する。なお、実施の形態１と同じ構成には同じ符号を付し、詳細な説明を省略する場合がある。
【０１３７】
パネル１５に取り付けられた操作つまみの脱落を防止するために、強固な取付が必要とされる。また、操作つまみの保守・点検・修理・交換を考慮すると、操作つまみは、パネル１５から着脱可能であることが好ましい。そこで、操作つまみ３０２０にはパネル１５に係止される被係止部３１００が設けられている。
【０１３８】
操作つまみ３０２０は、ダイヤル式操作部３０２２、釦式操作部３０２４、回転伝達部３０２６と総称される第１回転伝達部３０２６ａ、第２回転伝達部３０２６ｂ、連結部３０２８、回転部３０３０、押下げ伝達部３０３２、導光部３０９４、隔離部３０９６、ハウジング３０３４を含む。また、釦式操作部３０２４は、上部３０８８、突起部３０９０を含む。さらに、ハウジング３０３４は、基部３０３６、支持部３０４０、被係止部３１００と総称される第１被係止部３１００ａ、第２被係止部３１００ｂを含む。
【０１３９】
ダイヤル式操作部３０２２、回転部３０３０、押下げ伝達部３０３２、ハウジング３０３４、隔離部３０９６はそれぞれ、実施の形態３の操作つまみ２３２０におけるダイヤル式操作部２３２２、回転部２３３０、押下げ伝達部２３３２、ハウジング２３３４、隔離部２３９６に対応する。上部３０８８、操作面３０８８Ａ、３０２２Ａ、突起部３０９０、基部３０３６、支持部３０４０、防水壁３０９８はそれぞれ、操作つまみ２３２０における上部２３８８、操作面２３８８Ａ、２３２２Ａ、突起部２３９０、基部２３３６、支持部２３４０、防水壁２３９８に対応する。また回転伝達部３０２６の構成、作用およびその変形例は実施の形態２の回転伝達部１０２６と同様である。
【０１４０】
基部３０３６の外側面の下方部分から外側に向かって、第１被係止部３１００ａと第２被係止部３１００ｂとが突設されている。第１被係止部３１００ａと第２被係止部３１００ｂとを被係止部３１００と称す。図３０は、ハウジング３０３４のうち、基部３０３６と被係止部３１００との構成を示す正面図である。基部３０３６は、正面から見ると円形状を有する。また、第１被係止部３１００ａと第２被係止部３１００ｂは、基部３０３６の外側面から径方向外側に向いた爪部であり、基部３０３６の中心を軸として１８０度回転対象となる位置に配置されている。第１被係止部３１００ａと第２被係止部３１００ｂは、パネル１５に設けられた取付部３２００に係止される。
【０１４１】
パネル１５には、取付部３２００が設けられている。取付部３２００は、係止部３２０２と総称される第１係止部３２０２ａ、第２係止部３２０２ｂ、係止溝３２０４と総称される第１係止溝３２０４ａ、第２係止溝３２０４ｂ、係止壁３２０６と総称される第１係止壁３２０６ａ、第２係止壁３２０６ｂ、底面３２１６を含む。係止部３２０２には、被係止部３１００が係止される。
【０１４２】
次に、パネル１５に設けられた取付部３２００の構成を中心に説明する。取付部３２００は、パネル１５に設けられ、操作つまみ３０２０を係止する。取付部３２００が、パネル１５の最表面を構成するガラス基板あるいはカバーレンズの一部として、パネル１５と一体的に形成されているが、これに限られない。例えば、パネル１５に凹部が穿設され、凹部に取付部３２００が固定されてもよい。取付部３２００の構成を説明するために、ここでは、図２９に加えて、図３１、図３２も参照する。図３１は、パネル１５の構成を示す正面図であり、図３２は、取付部３２００の構成を示す斜視図である。なお、図３１、図３２では、操作つまみ３０２０が取り付けられていない。
【０１４３】
パネル１５の表面１６には、リング形状の防水壁３０９８が立設されている。防水壁３０９８の内側面は下方向に延設され、底面３２１６を含めて、略円筒形状の凹部が形成されている。また、凹部の内側面の一部に、防水壁３０９８と同心円の円弧を有した第１係止壁３２０６ａと第２係止壁３２０６ｂとが内向きに突設されている。第１係止壁３２０６ａと第２係止壁３２０６ｂは、防水壁３０９８の内側に形成される円形状の中心を挟んだ対称的な位置に配置されている。第１係止壁３２０６ａと第２係止壁３２０６ｂは、係止壁３２０６と総称され、係止壁３２０６と防水壁３０９８とは、開口縁部を構成する。開口縁部によって開口が形成されるが、開口は、被係止部開口３２０８と総称される第１被係止部開口３２０８ａ、第２被係止部開口３２０８ｂ、基部開口３２１０を含む。
【０１４４】
被係止部開口３２０８は、互いに向かい合った第１係止壁３２０６ａの側部と第２係止壁３２０６ｂの側部とに挟まれた空間である。被係止部開口３２０８は、操作つまみ３０２０の被係止部３１００を挿入するための開口であり、基部３０３６の外側面から被係止部３１００の先端部までの距離以上の径方向の長さを有するとともに、被係止部３１００の円周方向の距離以上の長さを有する。基部開口３２１０は、操作つまみ３０２０の基部３０３６を挿入するための開口であり、基部３０３６の底面よりも大きなサイズの円形状を有する。
【０１４５】
第１係止壁３２０６ａの下方には、第１係止溝３２０４ａが設けられ、第２係止壁３２０６ｂの下方には、第２係止溝３２０４ｂが設けられている。第１係止溝３２０４ａ、第２係止溝３２０４ｂは係止溝３２０４と総称され、係止溝３２０４は操作つまみ３０２０の被係止部３１００を係止可能な形状を有する。防水壁３０９８、係止溝３２０４、係止壁３２０６、底面３２１６によって囲まれた空間、つまり前述の凹部によって囲まれた空間が、収納空間３２１２である。収納空間３２１２は、パネル１５の表面１６の他の部分よりも下方向に凹んだ形状であって、かつ円形平板状に形成された基部３０３６、基部３０３６から突設された被係止部３１００を収納可能な形状を有する。
【０１４６】
収納空間３２１２を形成している内側面において、第１係止溝３２０４ａに近接した部分に第１ロック部３２１４ａが設けられ、第２係止溝３２０４ｂに近接した部分に第２ロック部３２１４ｂが設けられている。第１ロック部３２１４ａ、第２ロック部３２１４ｂはロック部３２１４と総称される。ロック部３２１４は、被係止部３１００が係止部３２０２に係止された場合に、係止部３２０２に弾接して係止部３２０２から被係止部３１００が離脱することを防ぐ。
【０１４７】
防水壁３０９８は、前述のように開口縁部を形成する。防水壁３０９８は、さらに、パネル１５の表面１６に沿って操作つまみ３０２０の外側から内側へ、水が流入することを防止する。このように、パネル１５は、底面３２１６において窪み、防水壁３０９８において突出した形状を有する。
【０１４８】
以下、取付部３２００に対する操作つまみ３０２０の取付手順を説明する。図３３Ａ〜図３３Ｃは、パネル１５への操作つまみ３０２０の取付手順を示す。なお、これらの図では、図３０と同様に、操作つまみ３０２０のうち、基部３０３６、被係止部３１００のみが示されている。
【０１４９】
図３３Ａは、第１被係止部開口３２０８ａに第１被係止部３１００ａを挿入し、第２被係止部開口３２０８ｂに第２被係止部３１００ｂを挿入し、基部開口３２１０に基部３０３６を挿入した場合の正面図である。図３１、図３２に示された収納空間３２１２は、基部３０３６、被係止部３１００を内部に配置する。また、第１ロック部３２１４ａは、第１被係止部３１００ａによって内側面側に傾倒され、第２ロック部３２１４ｂは、第２被係止部３１００ｂによって内側面側に傾倒される。
【０１５０】
図３３Ｂでは、図３３Ａに続いて、収納空間３２１２に配置された基部３０３６、被係止部３１００が左方向に回転され、被係止部３１００の一部が係止部３２０２によって係止されている。被係止部開口３２０８に被係止部３１００を挿入してから、内周面に沿って被係止部３１００が回転している間にわたって、ロック部３２１４は、内側面側に傾倒される。
【０１５１】
図３３Ｃでは、図３３Ｂに続いて、基部３０３６、被係止部３１００がさらに回転され、被係止部３１００が係止部３２０２によって係止されている。図３１、図３２では、被係止部３１００が係止溝３２０４に嵌め込まれ、係止壁３２０６によって被係止部３１００の上方向の移動が抑制される。係止溝３２０４と係止壁３２０６とによって形成された係止部３２０２が被係止部３１００を係止することによって、操作つまみ３０２０が取付部３２００に取り付けられる。また、ロック部３２１４が内側面から起立するので、係止部３２０２に係止された被係止部３１００が右方向に回転することが抑制され、係止部３２０２からの被係止部３１００の離脱が防止される。このように、係止部３２０２は、第１被係止部３１００ａが第１被係止部開口３２０８ａに挿入され、第２被係止部３１００ｂが第２被係止部開口３２０８ｂに挿入された位置からずれた位置に設けられている。
【０１５２】
図２９に示すように、取付部３２００は、パネル１５の内部に設けられるとともに、透過性を有した非導電性材料によって形成される。そのため、操作つまみ３０２０を取り付けるための機構を表面１６上に設ける場合と比較して、パネル１５の表示面積が確保される。一方、パネル１５および取付部３２００が透過性を有しているので、係止部３２０２と被係止部３１００との係止部分が、外部から見えてしまう可能性がある。係止部分は、表示装置１００の外観を考慮すると見えない方が望ましい。そのため、図２９に示すように、操作つまみ３０２０の被係止部３１００は、回転部３０３０およびダイヤル式操作部３０２２の外側縁部よりも内側に設けられることが好ましい。この構成により、係止部分は、回転部３０３０およびダイヤル式操作部３０２２によって隠される。
【０１５３】
表示装置１００の構成は、実施の形態１で図６を参照して説明した内容と同様であるので説明を省略する。
【０１５４】
図３４は、パネル１５に表示された画面を示す。この画面は、制御部５２において、温度調節のインターフェイスの機能を実行する場合を示している。温度目盛７０や設定温度インジケータ７２および操作つまみ３０２０を用いた温度設定や、エアコンディショナーのオン／オフの仕組みは、実施の形態１において図７を参照して説明したのと同様なので説明を省略する。
【０１５５】
図３５は、パネル１５に表示された別の画面を示す。この画面は、制御部５２において、カーオーディオ機能あるいはカーナビゲーション機能を実行する場合を示している。音量表示７４および操作つまみ３０２０を用いた音量設定や、スピーカ５６のオン／オフの仕組みは、実施の形態１において図８を参照して説明したのと同様なので説明を省略する。
【０１５６】
以上のように、操作つまみ３０２０は、操作つまみ２３２０と同様の効果を奏する。加えて、ハウジング３０３４の外側面から突設された被係止部３１００が、パネル１５に設けられた取付部３２００に係止されるので、操作つまみ３０２０はパネル１５に強固に取付けられる。また、パネル１５の内部に取付部３２００が設けられているので、パネル１５の広い表示面積を確保できる。また、操作つまみ３０２０はパネル１５に着脱可能に係止される。そのため、操作つまみ３０２０の保守・点検・修理・交換を容易に実行できる。また、ダイヤル式操作部３０２２の外側縁部よりも内側に被係止部３１００が設けられているので、係止部分を外部から隠すことができる。そのため、外観が向上する。
【０１５７】
また、被係止部３１００が、取付部３２００に開口から挿入されて、収納空間３２１２に配置されてから所定方向に動かされることによって、係止部３２０２に係止されるので、操作つまみ３０２０はパネル１５に強固に取付けられる。また、パネル１５内に開口、収納空間３２１２、係止部３２０２が設けられているので、パネル１５の広い表示面積を確保できる。また、係止部３２０２において被係止部３１００が係止された場合に、ロック部３２１４が係止をロックするので、操作つまみ３０２０はパネル１５にさらに強固に取付けられる。また、開口を囲むように防水壁３０９８が立設されているので、操作つまみ３０２０への水の進入を抑制できる。そのため、操作つまみ３０２０の故障の発生頻度を低減できる。
【０１５８】
なお、被係止部３１００である爪部は、係止部３２０２の係止溝３２０４に係止されている。しかしながらこれに限らず、被係止部３１００と係止部３２０２との関係が逆であってもよい。つまり、被係止部３１００に溝が形成され、係止部３２０２に爪部が形成されていてもよい。このように被係止部３１００、係止部３２０２の設計には自由度がある。
【０１５９】
また、ロック部３２１４は、収納空間３２１２を形成している内側面に設けられている。しかしながらこれに限らず例えば、ロック部３２１４は、底面３２１６に設けられてもよい。
【０１６０】
なお、導光部３０９４は必須ではなく、設けられていなくてもよい。
【０１６１】
次に、図３６を参照しながら操作つまみ３３２０について説明する。図３６は、本実施の形態に係る操作つまみ３３２０の構成を示す断面図である。操作つまみ３３２０は、操作つまみ３３２０と同様に、図２に示す表示装置１００において、パネル１５上に取り付けられる。操作つまみ３０２０は、ダイヤル式操作部３０２２と釦式操作部３０２４と有しているが、操作つまみ３３２０は、釦式操作部３３２４だけを有している。以下、操作つまみ３０２０との差異を中心に説明する。
【０１６２】
操作つまみ３３２０は、釦式操作部３３２４、押下げ伝達部３３３２、導光部３３９４、ハウジング３３３４を含む。また、釦式操作部３３２４は、上部３３８８、突起部３３９０を含む。さらに、ハウジング３３３４は、基部３３３６、支持部３３４０、被係止部３４００と総称される第１被係止部３４００ａ、第２被係止部３４００ｂを含む。パネル１５には、取付部３５００が設けられており、取付部３５００は、係止部３５０２と総称される第１係止部３５０２ａ、第２係止部３５０２ｂ、係止溝３５０４と総称される第１係止溝３５０４ａ、第２係止溝３５０４ｂ、係止壁３５０６と総称される第１係止壁３５０６ａ、第２係止壁３５０６ｂ、底面３５１６を含む。
【０１６３】
釦式操作部３３２４、押下げ伝達部３３３２、導光部３３９４、ハウジング３３３４はそれぞれ、操作つまみ３０２０における釦式操作部３０２４、押下げ伝達部３０３２、導光部３０９４、ハウジング３０３４に対応する。また、上部３３８８、突起部３３９０、基部３３３６、支持部３３４０、被係止部３４００はそれぞれ、操作つまみ３０２０における上部３０８８、突起部３０９０、基部３０３６、支持部３０４０、被係止部３１００に対応する。さらに、係止部３５０２、係止溝３５０４、係止壁３５０６、底面３５１６はそれぞれ、操作つまみ３０２０における係止部３２０２、係止溝３２０４、係止壁３２０６、底面３２１６に対応する。
【０１６４】
操作つまみ３３２０は、図２９に示すダイヤル式操作部３０２２、回転伝達部３０２６、連結部３０２８、回転部３０３０が含まれていない。釦式操作部３３２４の上部３３８８は、操作つまみ３０２０と同様に、釦式操作部３３２４の上面側操作部分（操作面３３８８Ａ）を構成する。また、上部３３８８は、支持部３３４０の外側において、下垂するように延設されている。この部分は、釦式操作部３３２４の側面側操作部分を構成する。
【０１６５】
操作つまみ３３２０は、ダイヤル式操作部を有さず、釦式操作部３３２４を有するので、構成が簡易である。また、釦式操作部３３２４の露出した部分の面積が広がるので、操作者は釦式操作部３３２４へ確実に接触することができる。
【０１６６】
以上、本発明の種々の実施の形態について説明した。これらの実施の形態は例示であり、それらの各構成要素あるいは各処理プロセスの組合せにいろいろな変形例を構成することが可能である。またそのような変形例も本発明の範囲にあることは当業者に理解されるところである。
【０１６７】
なお、表示装置１００は車載装置として構成される。しかしながらこれに限らず例えば、表示装置１００は、車載装置に限定されず、家庭用電子機器、事業用電子機器として構成されてもよい。その際、カーオーディオ機能、カーナビゲーション機能、温度調節のインターフェイスの機能以外の機能が実行されてもよい。このように、本発明の適用範囲は拡大可能である。
【産業上の利用可能性】
【０１６８】
本発明による操作つまみはタッチパネルを介して車載装置を操作するのみならず、家庭用電子機器、事業用電子機器を操作する用途にも適用可能である。
【符号の説明】
【０１６９】
２    フロントガラス
４    ハンドル
６    運転席
８    助手席
１０    筐体
１２    本体枠
１５    タッチ機能付表示パネル（パネル）
１６    表面
２０，１２０，２２０，３２０，４２０，１０２０，１１２０，１２２０，１３２０，２０２０，２１２０，２２２０，２３２０，３０２０，３３２０    操作つまみ
２２，１２２，３２２，４２２，１０２２，２０２２，２１２２，２２２２，２３２２，３０２２    ダイヤル式操作部
２４，２２４，３２４，１０２４，１１２４，１２２４，１３２４，２０２４，２１２４，２２２４，２３２４，３０２４，３３２４    釦式操作部
２６，１２６，３２６，４２６，１０２６，２０２６，２１２６，２２２６，２３２６，３０２６    回転伝達部
２８，１２８，３２８，４２８，１０２８，２０２８，２２２８，２３２８，３０２８    連結部
３０，１３０，３３０，４３０，１０３０，２０３０，２２３０，２３３０，３０３０    回転部
３２，２３２，３３２，１０３２，１１３２，１２３２，１３３２，２０３２，２１３２，２２３２，２３３２，３０３２，３３３２    押下げ伝達部
３４，１３４，２３４，３３４，４３４，１０３４，１１３４，１２３４，１３３４，２０３４，２１３４，２２３４，２３３４，３０３４，３３３４    ハウジング
３６，１３６，２３６，３３６，４３６，１０３６，１１３６，１２３６，１３３６，２０３６，２１３６，２２３６，２３３６，３０３６，３３３６    基部
３８，１３８，２３８，３３８，４３８，１０３８，１１３８，１２３８，１３３８，２０３８，２１３８，２２３８，２３３８    取付面
４０，１４０，３４０，４４０    外側支持部
４２，２４２，３４２    内側支持部
５０    操作部
５２    制御部
５４    音声処理部
５６    スピーカ
５８    表示処理部
６０    記憶部
６２    タッチボタン
６２ａ    第１タッチボタン
６２ｂ    第２タッチボタン
６２ｃ    第３タッチボタン
６２ｄ    第４タッチボタン
６２ｎ    第Ｎタッチボタン
６４    タッチ検出部
６６    表示部
７０    温度目盛
７２    設定温度インジケータ
７４    音量表示
８０，８８，１８０，２８８，３８０，３８８，４８０，１０８８，１１８８，１２８８，２０８８，２１８８，２２８８，２３８８，３０８８，３３８８    上部
８２，１８２，３８２，４８２    外側壁部
８４，１８４，３８４，４８４    内側壁部
９０，２９０，３９０，１０９０，１１９０，１２９０，１３９０，２０９０，２１９０，２２９０，２３９０，３０９０，３３９０    突起部
１００    表示装置
１０２６ａ，２３２６ａ，３０２６ａ    第１回転伝達部
１０２６ｂ，２３２６ｂ，３０２６ｂ    第２回転伝達部
１０４０，１１４０，１２４０，１３４０，２０４０，２１４０，２２４０，２３４０，３０４０，３３４０    支持部
１０８８Ａ，１１８８Ａ，１２８８Ａ，１３２４Ａ，２０２２Ａ，２０８８Ａ，２１２２Ａ，２１８８Ａ，２２２２Ａ，２２８８Ａ，２３２２Ａ，２３８８Ａ，３０２２Ａ，３０８８Ａ，３３８８Ａ    操作面
１０９４，１１９４，１２９４，１３９４，２３９４，３０９４，３３９４    導光部
１０９４Ａ，１２９４Ａ    第１端部
１０９８，２０９８，２１９８，２２９８，２３９８，３０９８    防水壁
２０９６，２１９６，２３９６，３０９６    隔離部
３１００，３４００    被係止部
３１００ａ，３４００ａ    第１被係止部
３１００ｂ，３４００ｂ    第２被係止部
３２００，３５００    取付部
３２０２，３５０２    係止部
３２０２ａ，３５０２ａ    第１係止部
３２０２ｂ，３５０２ｂ    第２係止部
３２０４，３５０４    係止溝
３２０４ａ，３５０４ａ    第１係止溝
３２０４ｂ，３５０４ｂ    第２係止溝
３２０６，３５０６    係止壁
３２０６ａ，３５０６ａ    第１係止壁
３２０６ｂ，３５０６ｂ    第２係止壁
３２０８    被係止部開口
３２０８ａ    第１被係止部開口
３２０８ｂ    第２被係止部開口
３２１０    基部開口
３２１２    収納空間
３２１４    ロック部
３２１４ａ    第１ロック部
３２１４ｂ    第２ロック部
３２１６，３５１６    底面
【図１】
2015174092.tif 000003
【図２】
2015174092.tif 000004
【図３】
2015174092.tif 000005
【図４】
2015174092.tif 000006
【図５】
2015174092.tif 000007
【図６】
2015174092.tif 000008
【図７】
2015174092.tif 000009
【図８】
2015174092.tif 000010
【図９】
2015174092.tif 000011
【図１０】
2015174092.tif 000012
【図１１】
2015174092.tif 000013
【図１２】
2015174092.tif 000014
【図１３】
2015174092.tif 000015
【図１４】
2015174092.tif 000016
【図１５】
2015174092.tif 000017
【図１６】
2015174092.tif 000018
【図１７】
2015174092.tif 000019
【図１８】
2015174092.tif 000020
【図１９】
2015174092.tif 000021
【図２０】
2015174092.tif 000022
【図２１】
2015174092.tif 000023
【図２２】
2015174092.tif 000024
【図２３】
2015174092.tif 000025
【図２４】
2015174092.tif 000026
【図２５】
2015174092.tif 000027
【図２６】
2015174092.tif 000028
【図２７】
2015174092.tif 000029
【図２８】
2015174092.tif 000030
【図２９】
2015174092.tif 000031
【図３０】
2015174092.tif 000032
【図３１】
2015174092.tif 000033
【図３２】
2015174092.tif 000034
【図３３Ａ】
2015174092.tif 000035
【図３３Ｂ】
2015174092.tif 000036
【図３３Ｃ】
2015174092.tif 000037
【図３４】
2015174092.tif 000038
【図３５】
2015174092.tif 000039
【図３６】
2015174092.tif 000040
【手続補正書】
【提出日】平成28年11月2日(2016.11.2)
【手続補正１】
【補正対象書類名】明細書
【補正対象項目名】００４５
【補正方法】変更
【補正の内容】
【００４５】
また、ハウジング３４を介して回転伝達部２６あるいは押下げ伝達部３２がパネル１５に対向しているので、回転伝達部２６あるいは押下げ伝達部３２と、パネル１５との直接の接触を防止できる。例えば、上部８８のフランジ状の部分の下面と内側支持部４２の上面との距離を押下げ伝達部３２の下面と基部３６の上面との距離よりも小さくすることで、押下げ伝達部３２と、パネル１５との直接の接触を防止できる。
【手続補正２】
【補正対象書類名】明細書
【補正対象項目名】００７３
【補正方法】変更
【補正の内容】
【００７３】
基部１０３６は、円形平板状に形成されている。基部１０３６の半径は、軸線ａから回転伝達部１０２６までの距離よりも大きく、環状のダイヤル式操作部１０２２の半径よりも小さい。基部１０３６の下面は、操作つまみ１０２０をパネル１５に取り付けるための取付面１０３８を構成している。取付面１０３８は、接着剤あるいは両面テープによってパネル１５に接着されてもよい。
【手続補正３】
【補正対象書類名】明細書
【補正対象項目名】００７５
【補正方法】変更
【補正の内容】
【００７５】
支持部１０４０は、基部１０３６において、釦式操作部１０２４と回転部１０３０との間に環状に立設されている。支持部１０４０が、外側面において、回転部１０３０の内側面を回転可能に支持することによって、回転部１０３０に連結されたダイヤル式操作部１０２２が軸線ａ周りに回転できる。また、支持部１０４０が、内側面において釦式操作部１０２４の突起部１０９０を上下方向に移動可能に支持することによって、釦式操作部１０２４が押下げ可能になっている。すなわち、釦式操作部１０２４は、パネル１５と反対側に操作面１０８８Ａを有する。
【手続補正４】
【補正対象書類名】明細書
【補正対象項目名】０１６１
【補正方法】変更
【補正の内容】
【０１６１】
次に、図３６を参照しながら操作つまみ３３２０について説明する。図３６は、本実施の形態に係る操作つまみ３３２０の構成を示す断面図である。操作つまみ３３２０は、操作つまみ３０２０と同様に、図２に示す表示装置１００において、パネル１５上に取り付けられる。操作つまみ３０２０は、ダイヤル式操作部３０２２と釦式操作部３０２４と有しているが、操作つまみ３３２０は、釦式操作部３３２４だけを有している。以下、操作つまみ３０２０との差異を中心に説明する。
【手続補正５】
【補正対象書類名】特許請求の範囲
【補正対象項目名】全文
【補正方法】変更
【補正の内容】
【特許請求の範囲】
【請求項１】
タッチ機能付表示パネル上に取付可能な操作つまみであって、
操作部と、
前記タッチ機能付表示パネルの表面から離間した位置で、前記操作部に対する操作を前記タッチ機能付表示パネルに伝える伝達部と、を備えた、
操作つまみ。
【請求項２】
前記操作部と前記伝達部とは、導電性材料で形成され、かつ互いに電気的に接続されている、
請求項１に記載の操作つまみ。
【請求項３】
前記操作部と前記伝達部とを支持し、前記タッチ機能付表示パネルに取り付けられるハウジングをさらに備え、
前記伝達部は、前記ハウジングを介して、前記タッチ機能付表示パネルの前記表面に対向している、
請求項１、２のいずれか一項に記載の操作つまみ。
【請求項４】
前記操作部は、前記タッチ機能付表示パネルの前記表面に垂直な軸線周りを回転可能なダイヤル式操作部であり、
前記伝達部は、前記操作部の回転に連動して、前記軸線周りを回転可能である、
請求項１から３のいずれか一項に記載の操作つまみ。
【請求項５】
前記操作部に並んで配置され、かつ前記タッチ機能付表示パネルの前記表面に垂直な方向に押下げ可能な釦と、
前記釦の押下げに連動して、前記タッチ機能付表示パネルの前記表面に近づくと、前記釦に対する押下げ操作を前記タッチ機能付表示パネルに伝達する追加伝達部と、をさらに備え、
前記釦が押し下げられた場合の前記追加伝達部と前記伝達部との距離は、前記釦が押し下げられる前の前記追加伝達部と前記伝達部との距離よりも短い、
請求項４に記載の操作つまみ。
【請求項６】
前記操作部は、前記タッチ機能付表示パネルの前記表面に垂直な方向に押下げ可能な釦式操作部であり、
前記伝達部は、前記操作部の押下げに連動して、前記タッチ機能付表示パネルの前記表面に近づく、
請求項１から３のいずれか一項に記載の操作つまみ。
【請求項７】
前記操作部には貫通孔が設けられ、
前記貫通孔に設けられ、前記タッチ機能付表示パネルからの光を透過させる導光部をさらに備えた、
請求項１に記載の操作つまみ。
【請求項８】
前記操作部は、前記タッチ機能付表示パネルの前記表面に垂直な方向に押下げ可能な釦式操作部であり、
前記操作部は、前記タッチ機能付表示パネルと反対側に操作面を有し、
前記導光部は、前記タッチ機能付表示パネルと反対側に第１端部を有し、
前記伝達部は、前記操作部の押下げに連動して、前記タッチ機能付表示パネルの前記表面に近づく、
請求項７に記載の操作つまみ。
【請求項９】
前記導光部の前記第１端部が前記操作部の前記操作面よりも、前記タッチ機能付表示パネルに近い位置に設けられている、
請求項８に記載の操作つまみ。
【請求項１０】
前記導光部の前記第１端部が前記操作部の前記操作面よりも、前記タッチ機能付表示パネルから離れた位置に設けられている、
請求項８に記載の操作つまみ。
【請求項１１】
前記導光部の前記第１端部は、０ｍｍより大きく８．６ｍｍ以下の幅を有する、
請求項８に記載の操作つまみ。
【請求項１２】
前記操作部と前記伝達部とは、導電性材料で形成され、かつ互いに電気的に接続され、
前記導光部は、非導電性材料で形成される、
請求項７から１１のいずれか一項に記載の操作つまみ。
【請求項１３】
前記操作部と前記伝達部と前記導光部とを支持し、前記タッチ機能付表示パネルに取り付けられるハウジングをさらに備え、
前記伝達部は、前記ハウジングを介して、前記タッチ機能付表示パネルの前記表面に対向している、
請求項７から１２のいずれか一項に記載の操作つまみ。
【請求項１４】
前記操作部は、
導電性材料で形成された第１操作部と、
前記第１操作部に並んで配置され、導電性材料で形成された第２操作部と、を含み、
前記伝達部は、
前記タッチ機能付表示パネルの前記表面から離間した位置で、前記第１操作部に対する操作を前記タッチ機能付表示パネルに伝える第１伝達部と、
前記タッチ機能付表示パネルの前記表面から離間した位置で、前記第２操作部に対する操作を前記タッチ機能付表示パネルに伝える第２伝達部と、を含み、
前記第１操作部の操作面と前記第２操作部の操作面との間に配置され、非導電性材料で形成された隔離部をさらに備えた、
請求項１記載の操作つまみ。
【請求項１５】
前記隔離部は、前記第１操作部に連結されている、
請求項１４に記載の操作つまみ。
【請求項１６】
前記隔離部は、前記第２操作部に連結されている、
請求項１４に記載の操作つまみ。
【請求項１７】
前記隔離部は、
前記第１操作部に連結された第１隔離部と
前記第２操作部に連結された第２隔離部と、を含む、
請求項１４に記載の操作つまみ。
【請求項１８】
前記第１操作部と前記第１伝達部と前記第２操作部と前記第２伝達部と前記隔離部とを支持し、前記タッチ機能付表示パネルに取り付けられるハウジングをさらに備え、
前記第１伝達部と前記第２伝達部は、前記ハウジングを介して、前記タッチ機能付表示パネルの前記表面に対向している、
請求項１４から１７のいずれか一項に記載の操作つまみ。
【請求項１９】
前記第１操作部は、前記タッチ機能付表示パネルの前記表面に垂直な軸線周りを回転可能なダイヤル式操作部であり、
前記第１伝達部は、前記第１操作部の回転に連動して、軸線周りを回転可能であり、
前記第２操作部は、前記タッチ機能付表示パネルの前記表面に垂直な方向に押下げ可能な釦式操作部であり、
前記第２伝達部は、前記第２操作部の押下げに連動して、前記タッチ機能付表示パネルの前記表面に近づくことが可能である、
請求項１４から１８のいずれか一項に記載の操作つまみ。
【請求項２０】
前記操作部と前記伝達部とを支持するハウジングと、
前記ハウジングの外側面から突設され、前記タッチ機能付表示パネルに係止される被係止部と、をさらに備えた、
請求項１に記載の操作つまみ。
【請求項２１】
前記被係止部は、前記操作部の外側縁部よりも内側に設けられている、
請求項２０に記載の操作つまみ。
【請求項２２】
前記伝達部は、前記ハウジングを介して、前記タッチ機能付表示パネルの前記表面に対向している、
請求項２０、２１のいずれか一項に記載の操作つまみ。
【請求項２３】
前記操作部は、前記タッチ機能付表示パネルの前記表面に垂直な軸線周りを回転可能なダイヤル式操作部であり、
前記伝達部は、前記操作部の回転に連動して、前記軸線周りを回転可能である、
請求項２０から２２のいずれか一項に記載の操作つまみ。
【請求項２４】
前記操作部は、前記タッチ機能付表示パネルの前記表面に垂直な方向に押下げ可能な釦式操作部であり、
前記伝達部は、前記操作部の押下げに連動して、前記タッチ機能付表示パネルの前記表面に近づく、
請求項２０から２２のいずれか一項に記載の操作つまみ。
【請求項２５】
タッチ機能付表示パネルと、
前記タッチ機能付表示パネル上に取り付けられた請求項１記載の操作つまみと、を備えた、
表示装置。
【請求項２６】
前記操作つまみの前記操作部には貫通孔が設けられ、
前記操作つまみは、前記貫通孔に設けられ、前記タッチ機能付表示パネルからの光を透過させる導光部をさらに有する、
請求項２５に記載の表示装置。
【請求項２７】
前記操作つまみの前記操作部は、
導電性材料で形成された第１操作部と、
前記第１操作部に並んで配置され、導電性材料で形成された第２操作部と、を含み、
前記操作つまみの前記伝達部は、
前記タッチ機能付表示パネルの前記表面から離間した位置で、前記第１操作部に対する操作を前記タッチ機能付表示パネルに伝える第１伝達部と、
前記タッチ機能付表示パネルの前記表面から離間した位置で、前記第２操作部に対する操作を前記タッチ機能付表示パネルに伝える第２伝達部と、を含み、
前記操作つまみは、前記第１操作部の操作面と前記第２操作部の操作面との間に配置され、非導電性材料で形成された隔離部をさらに有する、
請求項２５に記載の表示装置。
【請求項２８】
前記操作つまみは、
前記操作部と前記伝達部とを支持するハウジングと、
前記ハウジングの外側面から突設され、前記タッチ機能付表示パネルに係止される被係止部と、をさらに有し、
前記タッチ機能付表示パネルは、
前記被係止部が挿入される開口と、
前記開口から挿入された前記被係止部を配置する収納空間と、
前記被係止部が係止される係止部と、を含む取付部を有し、
前記係止部は、前記被係止部が前記開口に挿入された位置からずれた位置に設けられている、
請求項２５に記載の表示装置。
【請求項２９】
前記取付部は、前記係止部が前記被係止部を係止した場合に、前記係止部から前記被係止部が離脱することを防ぐロック部をさらに含む、
請求項２８に記載の表示装置。
【請求項３０】
前記タッチ機能付表示パネルは、前記開口を囲むように立設された防水壁をさらに有する、
請求項２８、２９のいずれか一項に記載の表示装置。
【国際調査報告】
2015174092.tif 000041
2015174092.tif 000042
2015174092.tif 000043
2015174092.tif 000044